(57)【特許請求の範囲】
【請求項１】
時刻情報を発生する時刻情報発生手段と、
所定の警告を促す警告情報を発生する警告情報発生手段と、
前記時刻情報と前記警告情報を選択的に表示可能とする表示手段と、
通常動作状態よりも消費電力の少ない節電動作状態で電子時計を動作させる節電動作手段と、
前記警告情報発生手段及び前記節電動作手段のうちのいずれか一方を状況に応じて優先動作させる優先動作選択手段と、
前記各手段の電源装置と、を有し、
前記優先動作選択手段は、前記警告情報発生手段による警告情報の表示を、前記節電動作手段の動作よりも優先させるように構成した、
ことを特徴とする電子時計。
【請求項２】
前記電源装置は、発電手段、及び該発電手段によって充電される蓄電手段であり、
該蓄電手段の電圧検出手段を有し、
前記警告情報が前記充電を促す警告である充電警告情報であり、
前記優先動作選択手段は、前記蓄電手段の電圧が基準値以下と検出されたとき、前記充電警告情報の表示を実施する、
ことを特徴とする請求項１に記載の電子時計。
【請求項３】
前記節電動作手段が動作中に前記警告情報発生手段を動作させるべき条件が満たされた場合には、前記節電動作手段の動作を停止して、前記警告情報発生手段を動作させ警告情報を表示するように構成した、
ことを特徴とする請求項１又は２に記載の電子時計。
【請求項４】
前記警告情報は、他の情報として、
一旦充電不足により一度時計が停止した状態から再充電により電子時計が再起動した場合に時刻狂いを警告する時刻合わせ警告情報、
あるいは蓄電手段の残量警告である残量警告情報を有する、
ことを特徴とする請求項２又は３に記載の電子時計。
【発明の詳細な説明】
【０００１】
【技術分野】
本発明は、時計情報のほかに機能情報や警告情報などを発生する機能を有する電子時計に関する。
【０００２】
【背景技術】
近年の電子時計において、クロノ表示機能、アラーム表示機能、気圧表示機能、水深表示機能、温度表示機能等を含めた複数種の機能表示を行う機構を内蔵した電子時計が実用化されてきており、時刻情報と同時に、若しくは時刻情報と切換えて一種若しくは複数種の機能情報を所定の表示手段に表示する様に構成されている。
【０００３】
一方、従来より、電子時計において、電池あるいは発電手段と併用された蓄電器等から構成される電源手段を出来るだけ長持ちさせることを目的として、電子時計の使用上に特に障害がない場合には、電子時計における消費電力を低減させる節電モード機能が付加されているものが知られている。
【０００４】
例えば、特開昭６１−７７７８８号公報に示す様に、太陽電池を主電源とする電子時計において、電子時計の太陽電池に対して予め定められた一定の時間継続して太陽光の入射が無い場合に節電モードとして消費電力を低減させ、再度太陽電池に対して太陽光が入射した時点で節電モードを解除する様に構成した電子時計が知られている。
【０００５】
この様な従来における電子時計の節電モード機能は、電源に対して不利益となる状態、例えば、太陽電池を電源として使用している場合には周囲が暗くなった様なときに節電モードとし、時刻情報の表示を停止させる様に構成されている。
このような、節電モード機能と機能情報動作状態モードとは共に電子時計の商品価値を高めるものであるが、機能的に干渉する可能性があるため、両機能の動作の駆動を調整する必要がある。
例えば、発電環境が低下したり充電量が低下している場合に、機能情報の表示機能を動作させると、機能情報の表示に要する電力によって電池が消耗し、電子時計の本来の時刻表示機能が停止するおそれがあるという問題がある。
【０００６】
また、充電式電子時計において、この時計の使用者に時計の電源の状態や停止の履歴に関する情報を与えたり、充電不足による時計の停止によるトラブルを極力避けようとしたものも知られている。例えば、特開昭６２−１９４４８４号公報には、電源の充電量（電源電圧）が十分であるときは通常動作（１秒ステップ運針）、充電量が不足しかかっているときには充電警告である第１の変調運針動作（２秒ステップ運針）、更に充電量が不足して時計が止まったときは、後に充電量が回復して運針が再開していても止まりの履歴があったこと（従って指示されている時刻は遅れていること）を使用者に警告するために、第１の変調運針動作とは異なる変調がかかった、止まり警告である第２の変調運針動作をさせ、２種類の警告表示を表示するようにした電子時計が開示されている。また、電池の残容量（残量）を指針の移動量によって残量警告情報表示する電子時針が知られている。例えば、特開昭５５−２２１５３号公報には、スイッチ操作に基づき残量警告表示モニターモードの指針の移動量にて残量警告情報表示するものが開示されている。
【０００７】
節電状態になった場合、上述した特開昭６１−７７７８８号公報に記載された発明のように、運針動作を停止する等の表示を停止してしまうと、警告情報も表示されなくなり、この電子時計の有する機能が十分に発揮できなく好ましくない。特に、警告情報は電源の状態に関係する情報であり、発電手段により蓄電手段への充電が十分に行われずして、電源電圧の低下したときなどに関係して発生するものである。それは、上述した特開昭５５−２２１５３号公報の残量警告表示に関しても同様である。また節電は特に充電式電子時計においては、蓄電手段への充電が十分に行われないような状態において必要とされる機能であり、節電を必要とする状態において、警告表示を必要とする場合が発生する可能性が高い。
【０００８】
本発明の目的は、節電状態と警告情報の表示を最適に制御して電子時計の有する機能を十分に発揮できるようにした電子時計を提供することにある。
【０００９】
【発明の開示】
本発明による電子時計は、
時刻情報を発生する時刻情報発生手段と、
所定の警告を促す警告情報を発生する警告情報発生手段と、
前記時刻情報と前記警告情報を選択的に表示可能とする表示手段と、
通常動作状態よりも消費電力の少ない節電動作状態で電子時計を動作させる節電動作手段と、
前記警告情報発生手段及び前記節電動作手段のうちのいずれか一方を状況に応じて優先動作させる優先動作選択手段と、とを有する。そして、電源装置により前記各手段が駆動されるように構成されている。
この電源装置には、一次電池もしくは二次電池などの蓄電手段か、または、発電手段及び該発電手段によって充電される蓄電手段などを用いることができる。
前記優先動作選択手段は、前記警告情報発生手段による警告情報の表示を、前記節電動作手段の動作よりも優先させるように構成されている。
【００１０】
【００１１】
本発明による電子時計は以下の形態を採り得る。
優先動作選択手段が機能情報発生手段または警告情報発生手段を節電動作手段よりも優先動作させる状況では、更に、警告情報発生手段を機能情報発生手段より優先動作させるように構成する。
【００１２】
【００１３】
【００１４】
【００１５】
【００１６】
残容量検出手段は、前記蓄電手段の出力電圧あるいは出力電流を検出する。
発電検出手段は、発電手段の発電量、発電電圧あるいは発電電流を検出する。
警告情報発生手段による警告情報の表示を、機能情報発生手段の動作及び節電手段の動作よりも優先させる。
警告情報発生手段による警告情報の表示を、機能情報発生手段の動作及び節電手段の動作よりも優先させるようにする。
警告情報の表示中に機能情報発生手段あるいは節電手段を動作させるべき条件が満たされても、機能情報発生手段あるいは節電手段を動作させないようにする。
【００１７】
機能情報発生手段が動作中にあるいは節電手段が動作中に警告情報発生手段を動作させるべき条件が満たされた場合には、機能情報発生手段の動作あるいは節電手段の動作を停止して、警告情報発生手段を動作させ警告情報を表示する。
機能情報発生手段が動作したときにその機能を表示する表示手段あるいは節電手段が動作したときに表示停止させる表示手段と、警告情報発生手段が動作したときに警告情報を表示する表示手段とが、少なくとも一部が重複するように構成する。
【００１８】
警告情報は、一旦充電不足により一度時計が停止した状態から再充電により電子時計が再起動した場合に時刻狂いを警告する時刻合わせ警告情報、充電を促す警告である充電警告情報、あるいは蓄電手段の残量警告である残量警告情報のいずれか一つである。
【００１９】
表示手段の少なくとも一部は、デジタル表示機構あるいはアナログ表示機構で構成されている。
電子時計に於ける各手段を駆動させる電源は、太陽電池、手巻方式の発電器、自動巻方式の発電器、温度差発電器等の発電手段、あるいは、二次電池あるいは高容量コンデンサ等の蓄電手段と当該発電手段とを組み合わせたもの等から選択された一つである。
【００２０】
優先動作選択手段に優先動作を選択させる選択手段を備え、その選択手段は使用者の要求に応じて、優先動作選択手段に優先動作を選択させる。  
【００２１】
優先動作選択手段が機能情報発生手段または警告情報発生手段を節電動作手段よりも優先動作させる状況では、更に、警告情報発生手段を機能情報発生手段より優先動作させるようにしてもよい。
優先動作を、電源装置の出力電圧及びまたは出力電流に応じて選択するようにしてもよい。
前記優先動作を、使用者の要求に応じて選択してもよい。
【００２２】
【００２３】
【００２４】
【００２５】
【発明を実施するための最良の形態】
本発明の第１の実施形態を図１乃至図２９を用いて説明する。
この実施形態では、電子時計は、節電動作手段と機能情報発生手段と、さらにそれら手段のいずれか一方を選択して優先動作させる優先動作選択手段とを備える。そして、優先動作選択手段によって節電動作手段を選択したときには、節電動作すべき条件が満たされたときには、機能情報発生手段を動作させずに節電動作手段を優先動作させ、節電動作状態とする。一方、機能情報発生手段を選択したときには、節電動作手段を動作させるべき条件が満たされても機能情報発生手段を動作させ、節電動作状態よりも機能情報を表示手段に表示することを優先される。
【００２６】
図１及び図２は、本実施形態の動作を説明するための概略図であり、図１は第１の例を示し、図２は第２の例を示している。
第１の例は、優先動作選択手段によって節電動作手段あるいは機能情報発生手段のいずれか一方の選択し動作させることによって、節電動作状態あるいは機能動作状態を優先するものである。第２の例は、優先動作選択手段によって節電動作手段の駆動を制御して、節電動作状態を有効とするか、あるいは節電動作を無効にして機能動作を可能とすることによって、節電動作状態あるいは機能動作状態を優先するものである。
【００２７】
はじめに、第１の例について説明する。
図１（ａ）において、電子時計１０は、時刻情報を発生する時刻情報発生手段Ａと、機能情報を発生する機能情報発生手段Ｂと、前記時刻情報及び機能情報を選択的に表示可能とする表示手段Ｃと、通常動作状態よりも消費電力の少ない節電動作状態にて動作させる節電動作手段Ｄと、機能情報発生手段Ｂと節電動作手段Ｄのいずれか一方を優先させる優先動作選択手段Ｅを備える。
通常動作状態では、図１（ｂ）に示すように、優先動作選択手段Ｅは手段Ｂ、手段Ｄのいずれの手段も優先させず、表示手段Ｃは時刻情報を常時表示し、機能情報を選択に応じて表示する。
【００２８】
これに対して、通常動作状態あるいは図１（ｃ）に示すように優先動作選択手段Ｅによって節電動作手段Ｄが優先された状態で、節電動作状態となったときには、節電動作手段Ｄは節電動作を機能情報の表示動作よりも優先し、時刻情報及び機能情報の表示を停止する。なお、節電動作の状態によっては、図１（ｄ）に示すように、時刻情報の一部を表示し機能情報の表示を停止することもできる。
また、時刻情報及びまたは機能情報の表示停止動作において、時刻情報や機能情報のカウントについては続行させることもできる。
【００２９】
また、図１（ｅ）に示すように、優先動作選択手段Ｅによって機能情報発生手段Ｂが優先された場合には、節電動作の有無に関わらず機能情報を表示する。
次に、第２の例について説明する。
図２（ａ）において、電子時計１０は、時刻情報を発生する時刻情報発生手段Ａと、機能情報を発生する機能情報発生手段Ｂと、前記時刻情報及び機能情報を選択的に表示可能とする表示手段Ｃと、通常動作状態よりも消費電力の少ない節電動作状態にて動作させる節電動作手段Ｄと、節電動作手段Ｄを制御して節電動作あるいは機能動作のいずれか一方を優先させる優先動作選択手段Ｅを備える。
【００３０】
通常動作状態では、優先動作選択手段Ｅは節電動作あるいは機能動作のいずれの動作も優先せず、図２（ｂ）に示すように、節電動作手段Ｄは機能せず、表示手段Ｃは時刻情報を常時表示し、機能情報を選択に応じて表示する。これに対して、通常動作状態あるいは図２（ｃ）に示すように優先動作選択手段Ｅによって節電動作手段Ｄが優先された状態で、節電動作状態となったときには、節電動作手段Ｄは節電動作を機能情報の表示動作よりも優先し、時刻情報及び機能情報の表示を停止する。なお、節電動作の状態によっては、図２（ｄ）に示すように、時刻情報を表示し機能情報の表示を停止することもできる。また、時刻情報及びまたは機能情報の表示停止動作において、時刻情報や機能情報のカウントについては続行させることもできる。
また、図２（ｅ）に示すように、優先動作選択手段Ｅによって機能動作が優先された場合には、節電動作の有無に関わらず機能情報を表示する。
【００３１】
つまり、本実施形態においては、電子時計において、出来るだけ節電できるものは節電モードで駆動させることによって電池の消耗期間を可能な限り長くする機能と、電子時計としての商品価値を高める付加機能の両機能を備え、電子時計の電源状態あるいは使用者の要求に応じて節電動作状態と機能動作状態とを選択可能とする。節電動作を重視する場合には、節電動作状態を機能表示動作状態より優先させ、機能動作を重視する場合には、機能表示動作状態を節電動作状態より優先させる。
【００３２】
節電動作状態となる対象部分は、電子時計の使用状況や使用目的等の種々の環境によって、節電動作状態あるいは機能表示動作状態にする必要がある部分である。対象部分として、例えば時分秒針または液晶表記装置等の表示手段、及びこれらを制御する関連回路部分の全てあるいはその一部がある。また、回路部分の例としては、各種の表示手段の駆動回路部がある。
【００３３】
本実施形態の電子時計の表示手段は、電子時計が持っている全ての表示手段かあるいはその一部であり、機能表示に関わる表示手段を含むことができる。また、機能表示に関わらない表示手段は、機能表示動作の有無に拘わらず、発電手段の発電量が低下した場合などには節電モードに入る様に構成することができる。
以下に、本実施形態に係る電子時計及び電子時計の駆動方法の構成例を図面を参照しながら詳細に説明する。
【００３４】
なお、以下の構成例の説明においては、節電動作状態あるいは機能動作状態を実現させる対象として表示手段（時分秒針、機能針あるいは液晶ディスプレイ等）を使用した例を示しているが、この表示手段は本実施形態における例の一つに過ぎず、表示手段と直接的若しくは間接的に関連する回路部分で、節電動作状態あるいは機能動作状態を実現し得る回路部分であれば当然本実施形態に含まれることはいうまでもない。
【００３５】
図３，４は、本実施形態に係る電子時計１０の一構成例を説明する概略ブロック図であり、図３の構成例は図１に示す動作例に対応し、図４の構成例は図２に示す動作例に対応する。
【００３６】
図３，４において、電子時計１０は、基準信号発生手段１、該基準信号発生手段１からの基準信号ＳＲに基づき時刻情報ＴＪを発生する時刻情報発生手段２、機能情報ＦＪを発生する機能情報発生手段３、機能情報ＦＪと時刻情報ＴＪを適宜の表示手段に表示する為の駆動信号ＤＲＦ、ＤＲＴを出力する表示駆動手段４、表示駆動手段４からの駆動信号ＤＲＦ、ＤＲＴに基づき機能情報ＦＪと時刻情報ＴＪとを表示する表示手段５、電源６、節電動作状態検出手段７及び制御手段８を備える。
さらに、この電子時計１０は、節電動作あるいは機能動作を優先する優先動作選択手段９を備え、通常動作状態よりも消費電力の少ない節電動作状態を実現できる。
【００３７】
さらに、上記した図３，４に示す電子時計１０は、節電動作状態を行う節電動作状態設定手段１１と機能動作を行う機能動作状態設定手段１２、及び節電動作状態設定手段１１あるいは機能動作状態設定手段１２を優先動作させる優先動作選択手段９を備える。
図３の構成例では、節電動作状態設定手段１１は、節電動作状態検出手段７の検出信号ＳＡＤに応答して、時刻情報発生手段２及びまたは機能情報発生手段３を節電動作状態に設定する手段であり、機能動作状態設定手段１２は、機能情報発生手段３を機能動作状態に設定する手段であり、制御手段８の制御信号（図中の破線）に基づいて設定される。また、節電動作状態設定手段１１及び機能動作状態設定手段１２は、優先動作選択手段９からの選択信号によっていずれか一方が優先設定され、優先設定された一方の設定手段のみが対応する時刻情報発生手段２あるいは機能情報発生手段３が動作可能となる。
【００３８】
したがって、図３の構成例では、優先動作選択手段９によって時刻情報発生手段２または機能情報発生手段３の動作の許可を制御することによって、節電動作と機能動作のいずれか一方を優先して動作させる。
【００３９】
一方、図４の構成例では、節電動作状態設定手段１１は、節電動作状態検出手段７の検出信号ＳＡＤに応答して少なくとも一部の表示手段、例えば少なくとも一部の時刻情報表示手段５ａ及び少なくとも一部の機能情報表示手段５ｂの何れか若しくは双方を節電動作状態に設定する手段であり、また、機能動作状態設定手段１２は、機能動作状態検出手段１３の検出信号ＦＵＤに応答して、少なくとも一部の機能情報表示手段５ｂを機能動作状態に設定する手段である。上記各手段の動作の優先選択は、制御手段８の制御信号（図中の破線）に基づいて設定される。
【００４０】
また、節電動作状態設定手段１１及び機能動作状態設定手段１２は、優先動作選択手段９からの選択信号によっていずれか一方が優先設定され、優先設定された一方の設定手段のみが対応する時刻情報発生手段２あるいは機能情報発生手段３が、動作可能となる。なお、図中１１ａは、時刻表示手段用節電動作状態設定手段であり、１１ｂは機能情報表示手段用節電動作状態設定手段である。
【００４１】
したがって、図４の構成例では、優先動作選択手段９によって時刻情報発生手段２及びまたは機能情報発生手段３で発生された情報を表示手段に表示する動作の許可を制御することによって、節電動作と機能動作のいずれか一方を優先して動作させる。
【００４２】
なお、上記構成例において、時刻情報表示手段５ａと機能情報表示手段５ｂは個別の回路で構成されている場合もあり、また、その一部若しくは全部が重複している場合もある。例えば、通常動作状態における時刻情報表示手段５ａの図２９における秒針２３は、機能情報表示手段５ｂでクロノ表示が行われている場合には、クロノ秒を表示する手段として重複して使用される場合もある。
【００４３】
本実施形態の電子時計の優先選択の概略動作を図５のフローチャートに示す。
優先動作選択手段９によって機能動作あるいは節電動作が選択される（ステップＳ１）。
機能動作が選択された状態において（ステップＳ１）、機能動作が要求されると（ステップＳ２）、表示手段に機能情報が表示される（ステップＳ３）。この機能動作が優先選択された状態において、電源電圧の低下等によって節電条件が満足しても（ステップＳ４）、機能動作が優先されているため、この節電動作はキャンセルされる（ステップＳ５）。
一方、節電動作が選択された状態において（ステップＳ６）、電源電圧の低下等によって節電条件が満足すると、表示手段５への時刻情報の表示を停止する等の節電動作を行う（ステップＳ７）。この節電動作が優先選択された状態において、機能情報発生の要求が発生しても（ステップＳ８）、節電動作が優先されているため、この機能要求はキャンセルされる（ステップＳ９）。
【００４４】
さらに、図３及び図４に示す構成例において、時刻情報のみが表示されている場合と時刻情報及び機能情報が表示されている場合のそれぞれについて、節電優先動作と機能優先動作を図６及び図７を用いて説明する。図６は時刻情報のみが表示されている場合を示し、図７は時刻情報及び機能情報が表示されている場合を示している。
【００４５】
図６の時刻情報のみが表示されている場合において、節電優先動作が選択されている場合（図６（ａ））には、時刻情報表示手段５ａに通常表示を行う状態において（ステップＴ１）、ＦＵＤ（機能動作検出信号）が検出された場合には（ステップＴ２）、機能情報表示手段５ｂに機能情報を表示し（ステップＴ３）、その後のＳＡＤ（節電動作検出信号）の検出によって（ステップＴ４）、機能情報表示手段５ｂの表示を停止する（ステップＴ５）。さらに、時刻情報表示手段５ａの表示を停止する（ステップＴ６）。
一方、ＳＡＤ（節電動作検出信号）が検出された場合には（ステップＴ２）、時刻情報表示手段５ａの表示を停止する（ステップＴ７）。その後、ＦＵＤ（機能動作検出信号）が検出された場合には（ステップＴ８）、ＦＵＤをキャンセルする（ステップＴ９）。
【００４６】
図６の時刻情報のみが表示されている場合において、機能優先動作が選択されている場合（図６（ｂ））には、時刻情報表示手段５ａに通常表示を行う状態において（ステップＴ１１）、ＦＵＤ（機能動作検出信号）が検出された場合には（ステップＴ１２）、機能情報表示手段５ｂに機能情報を表示し（ステップＴ１３）、その後のＳＡＤ（節電動作検出信号）が検出されたとしても（ステップＴ１４）、ＳＡＤをキャンセルして機能動作を優先する（ステップＴ１５）。
一方、ＳＡＤ（節電動作検出信号）が検出された場合には（ステップＴ１２）、時刻情報表示手段５ａの表示を停止し（ステップＴ１６）、その後ＦＵＤ（機能動作検出信号）が検出された場合には（ステップＴ１７）、ＳＡＤが検出されていてもＦＵＤによって機能情報表示手段５ｂに機能情報を表示する（ステップＴ１８）。
【００４７】
また、節電優先動作が選択されている場合（図７（ａ））には、時刻情報表示手段５ａ及び機能情報表示手段５ｂに通常表示を行う状態において（ステップＵ１）、ＳＡＤ（節電動作検出信号）が検出された場合には（ステップＵ２）、電源電圧等の節電条件に応じて、機能情報表示手段５ｂの表示の停止（ステップＵ３）、あるいは時刻情報表示手段５ａ及び機能情報表示手段５ｂの表示を行う（ステップＵ４）。
【００４８】
一方、機能優先動作が選択されている場合（図７（ｂ））には、時刻情報表示手段５ａ及び機能情報表示手段５ｂに通常表示を行う状態において（ステップＵ１１）、ＳＡＤ（節電動作検出信号）が検出された場合には（ステップＵ１２）、電源電圧等の節電条件に応じて、時刻情報表示手段５ａの表示の停止（ステップＵ１３）、あるいはＳＡＤのキャンセル（ステップＵ１４）、及び時刻情報表示手段５ａ及び機能情報表示手段５ｂの表示の停止を行う（ステップＵ１５）。
次に、機能動作状態と節電動作状態との競合時において、何れの表示手段を節電動作状態とするかの態様例について説明する。
【００４９】
本実施形態において、時刻情報表示手段５ａと機能情報表示手段５ｂとが一部重複する様に構成することも可能である。例えば、秒針は時刻情報表示手段５ａと機能情報表示手段５ｂの両表示手段に共通の表示部材とする構成がある。
斯かる構成では、節電動作状態において、時刻情報表示手段５ａ及び機能情報表示手段５ｂの表示を停止する態様の他、時刻情報表示手段５ａについては表示を行い、機能情報表示手段５ｂのみ表示を停止する態様が可能である。この態様では、両表示手段に共通の表示部材（例えば秒針２３）の動作を停止させる態様と、動作を停止させない態様の両態様が可能である。
【００５０】
また、時刻情報表示手段５ａ及び機能情報表示手段５ｂは、複数の表示形態とすることができる。本実施形態の電子時計１０においては、時刻情報表示手段５ａ及び機能情報表示手段５ｂの少なくとも一方は、デジタル表示機構あるいはアナログ表示機構の何れの機構により構成されていても良い。
【００５１】
また、本実施形態の電子時計１０の表示手段５は、時刻情報表示手段５ａ及び機能情報表示手段５ｂの様に、それぞれ分離して個別に形成する構成であっても良く、また、その両手段の一部若しくは全部が重複する様に構成されているものであっても良い。例えば、電子時計１０が、アナログ表示システムを採用している場合には、秒針２３が、双方の情報を表示する様に構成されることも可能である。
【００５２】
また、本実施形態の電子時計１０で使用される電源手段は、特にその構成が特定されるものではなく、通常の銀電池の様な一次電池を使用するものであっても良く、充電可能な二次電池や高容量コンデンサ（商品名ゴールドキャパシタ）等の蓄電手段を使用するものであっても良く、更には、太陽電池、自動巻方式の発電機、温度差発電器等を含む発電手段を使用するものであっても良い。
【００５３】
更に電源手段の好ましい例としては、発電手段と蓄電手段を組み合わせた形式の電源手段を使用するものがある。
図３，図４において、本実施形態の電子時計１０が備える節電動作状態検出手段７は、電池あるいは発電手段等から構成される電源手段６の現在の状態を判断して、電子時計１０の表示駆動手段４、表示手段５の消費電力を通常動作状態の消費電力よりも大幅に少なくする節電動作状態に設定するか否かの判断の基礎となる情報、つまり節電動作状態検出信号ＳＡＤを出力する。
【００５４】
前記電源手段の状態判断において、例えば、電源手段６における電池の残留容量が所定のしきい値以下に低下した場合、電池の出力電圧若しくは出力電流が所定のしきい値以下に低下した場合、発電手段の発電量が所定のしきい値以下に低下した場合、発電手段が太陽電池である場合に所定の期間連続して太陽電池に入射される光の量が所定値以下である場合等の状態を自動的に検出し、節電動作状態検出信号ＳＡＤを出力する様に構成されていても良く、また、所定の釦やリューズ等をユーザーがマニュアルで操作することを検知して、節電動作状態検出信号ＳＡＤを出力する様に構成したものであっても良い。
【００５５】
ユーザーによるマニュアル操作で節電動作状態を設定する例としては、例えば、所有する複数の電子時計の内の幾つかは当分の間使用しない様な場合に、その電子時計をマニュアル操作によって節電動作状態に設定しておく場合が考えられる。
【００５６】
なお、本実施形態において電子時計の少なくとも一部の表示駆動手段４及び少なくとも一部の表示手段５が節電動作状態に入っている場合には、少なくとも一部の表示手段において表示情報が薄く表示されるかあるいは消去されるか等の表示状態となって表示部の動作が停止される。その場合でも、電子時計１０における時刻情報は正常に稼働しており、その時刻情報は常に所定の記憶手段に記憶し更新しておき、節電動作状態が解除された場合には、直ちに現在の時刻情報を例えば時刻情報表示手段５ａに表示できる様に構成されている。
【００５７】
また、本実施形態の電子時計１０において、節電動作状態の設定解除条件は、上記した節電動作状態検出信号ＳＡＤの発生条件と、例えば、太陽電池へ入射される光の量が所定値を超える等の反対の条件が検出されることとすることができる。
【００５８】
なお、本実施形態の電子時計１０において使用される機能情報としては、例えば、アラーム機能、クロノ機能、カレンダー表示機能、水深情報表示機能、気圧情報表示機能、高度情報表示機能、温度情報表示機能、水温情報表示機能等がある。電子時計は、これらの機能情報を実現する機能を付加機能とし、付加機能群内にこれらの付加機能の少なくとも一つを備えている。
【００５９】
本実施形態においては、電子時計１０のユーザーが上記した付加的な機能を使用したい場合には、所定の釦、リューズをマニュアルで操作することにより、付加機能群の中から所望とする付加機能に対応する機能情報発生手段３を選択する。これによって、機能動作状態検出手段１３から機能動作状態検出信号ＦＵＤが出力される。
【００６０】
上記した様に、本実施形態の電子時計の各機能、特に節電動作を機能動作に優先する優先機能、及び該機能を用いた電子時計の駆動は、ＣＰＵ及びメモリ等を含むデジタル構成及びソフトウエアによって前記各手段を実行することによって行うことができる他、ハードウエアによっても構成することができる。
【００６１】
以下に、本実施形態による電子時計及び電子時計の駆動方法について、図８乃至図２８を参照しながら説明する。本実施形態の電子時計において、節電動作と機能動作の選択は、発電電圧及びまたは二次電池電圧のレベルに応じて種々の組み合わせによる選択の態様で行うことができる。
【００６２】
第１の選択の態様は、発電電圧及び二次電池電圧のレベルに応じて節電動作と機能動作の選択を行うものであり（図８乃至図１１）、第２の選択の態様は、発電電圧のレベルに応じて節電動作と機能動作の選択を行うものであり（図１２乃至図１５）、第３，４の選択の態様は、２つの発電電圧レベル及び二次電池電圧に応じて節電動作と機能動作の選択を行うものであり（図１６乃至図１９、及び図２０乃至図２３）、第５の選択の態様は、外部操作に応じて節電動作と機能動作の選択を行うものである（図２４乃至図２７）。
【００６３】
なお、以下の説明では、各選択の態様を２つの構成例によって実現することができる。第１の構成例は、優先動作選択手段９は節電動作状態設定手段１１及び機能情報発生手段３の何れか一方のみを動作可とし、これによって、機能動作と節電動作の選択を行うものであり、図３の構成例に対応する。
【００６４】
一方、第２の構成例は、優先動作選択手段９は、発生した時刻情報及び機能情報の表示手段への導通において、節電動作手段を通すか否かを制御し、これによって、機能動作と節電動作の選択を行うものであり、図４の構成例に対応する。
はじめに、図８乃至図１１を用いて第１の選択の態様について説明する。第１の選択の態様では、発電電圧レベルＶＡ及び二次電池電圧レベルＶａに応じて機能動作と節電動作の選択を行う。
【００６５】
図８は第１の選択の態様を実現する第１の構成例を示している。この構成例では、発電手段６ａ及び該発電手段６ａで充電される二次電池６ｂを備える電源装置６と、時刻情報発生手段２と機能情報発生手段３と、該情報発生手段２，３を節電動作させる節電動作状態設定手段１１と、前記節電動作状態設定手段１１と機能情報発生手段３の何れかを一方を駆動する指令を送ることによって節電動作と機能動作を選択する優先動作選択手段９と、前記二次電池６ｂの電圧を検出することによって二次電池の残容量を検出する残容量検出手段１４ｂと、発電手段６ａに発電量を検出する発電検出手段１４ａと、前記残容量検出手段１４ｂ及び発電検出手段１４ａの検出信号に基づいて優先動作を選択する優先条件手段９ａとを備える。
【００６６】
電源装置６は、前記各手段を含む電子回路２０に対してＶdd端子及びＶss端子を介して駆動電力を供給している。また、発電手段６ａと二次電池６ｂとの間には逆流防止ダイオード６ｃが接続され、二次電池６ｂから発電手段６ａへの放電を防止している。
【００６７】
なお、節電動作状態設定手段１１及び機能情報発生手段３と優先動作選択手段９との接続において、一方の接続箇所に反転手段を設けることによって、節電動作状態設定手段１１と機能情報発生手段３の何れかを一方を駆動する指令とすることができる。
【００６８】
図９は第１の選択の態様を実現する第２の構成例を示している。この構成例では、第１の構成例と同様の電源装置６と、時刻情報発生手段２と機能情報発生手段３とを備える。節電動作状態設定手段１１は、時刻情報発生手段２と機能情報発生手段で発生した各情報を節電動作させ、該情報は優先動作選択手段９０で選択され表示手段５に送られる。優先動作選択手段９０は、端子Ａ及び端子Ｂに入力される時刻情報及び機能情報を選択して表示手段５に送るセレクタ９０ｂと、残容量検出手段１４ｂ及び発電検出手段１４ａの検出信号に基づいて優先動作の選択信号をセレクタ９０ｂの端子Ｃに送る優先条件手段９０ａとを備える構成とすることができる。
【００６９】
この構成例において、節電動作を優先させる場合には優先条件手段９０ａからの指定によって節電動作状態設定手段１１を駆動させ、機能情報を優先させる場合には優先条件手段９０ａからの端子Ｃに機能情報を選択する指定を送ることによって機能情報を優先して表示手段５に送る。
【００７０】
なお、上記第１，第２の構成例において、節電動作状態設定手段１１は残容量検出手段１４ｂからの検出信号、及びまたは発電検出手段１４ａからの検出信号に基づいて、時刻情報及びまたは機能情報の発生及びまたは表示を制限する。また、発電検出手段１４ａの発生電力の検出は、電圧、電流、及び発生時間に基づいて行うことができる。
【００７１】
図１０は第１の選択の態様による選択動作の手順例を示すフローチャートであり、図１１はこのときの発電電圧及び二次電池電圧に対する選択動作を説明する図である。
予め、二次電池電圧及び発電電圧に対して設定レベルとしてそれぞれＶａ及びＶＡを定めておく。Ｖａは機能情報表示を行うか否かを定めるレベルであり、ＶＡは節電動作を行うか否かを定めるレベルである。
【００７２】
はじめに、二次電池電圧をレベルＶａと比較し、二次電池電圧がレベルＶａ以上である場合には（ステップＳ１１）、機能情報を表示する（ステップＳ１２）。一方、二次電池電圧がレベルＶａに満たない場合には（ステップＳ１１）、発電電圧をレベルＶＡと比較する。レベルＶＡとの比較において、発電電圧がレベルＶＡ以上である場合には（ステップＳ１３）、時刻情報を通常動作状態で表示し（ステップＳ１４）、発電電圧がレベルＶＡに満たない場合には（ステップＳ１３）、時刻情報表示を節電動作状態で表示する（ステップＳ１５）。
【００７３】
なお、図１１中に示す符号Ａ，Ｂは、図９のセレクタ９ｂで選択される端子を示し、機能情報表示時には端子Ｂが選択され、時刻情報表示時（通常動作状態及び節電動作状態）には端子Ａが選択される。
次に、図１２乃至図１５を用いて第２の選択の態様について説明する。第２の選択の態様では、発電電圧レベルＶＡに応じて機能動作と節電動作の選択を行う。
【００７４】
図１２，図１３は第２の選択の態様を実現する第１及び第２の構成例を示している。図１２，図１３に示す構成例は、残容量検出手段１４ｂを除いて、第１の選択の態様で示した図８，図９の構成例とほぼ共通の構成とすることができる。
他の構成は共通するため、ここでは図１２，図１３の説明は省略する。第２の選択の態様によれば、優先動作選択手段９、９０は発電検出手段１４ａの検出信号に基づいて選択動作を行う。
【００７５】
図１４は第２の選択の態様による選択動作の手順例を示すフローチャートであり、図１５はこのときの発電電圧に対する選択動作を説明する図である。
予め、発電電圧に対して設定レベルとしてそれぞれＶＡ及びＶＢを定めておく。この実施形態では、ＶＡ＞ＶＢとしているが、設定レベルの大小関係はこの限りではない。ＶＡは機能情報表示を行うか否かを定めるレベルであり、ＶＢは節電動作を行うか否かを定めるレベルである。
【００７６】
はじめに、発電電圧をレベルＶＡと比較し、発電電圧がレベルＶＡ以上である場合には（ステップＳ２１）、機能情報を表示する（ステップＳ２２）。一方、発電電圧がレベルＶＡに満たない場合には（ステップＳ２１）、発電電圧をレベルＶＢと比較する。レベルＶＢとの比較において、発電電圧がレベルＶＢ以上である場合には（ステップＳ２３）、時刻情報を通常動作状態で表示し（ステップＳ２４）、発電電圧がレベルＶＢに満たない場合には（ステップＳ２３）、時刻情報表示を節電動作状態で表示する（ステップＳ２５）。
【００７７】
なお、図１５中に示す符号Ａ，Ｂは、図１３のセレクタ９ｂで選択される端子を示し、機能情報表示時には端子Ｂが選択され、時刻情報表示時（通常動作状態及び節電動作状態）には端子Ａが選択される。
【００７８】
次に、図１６乃至図１９を用いて第３の選択の態様について説明する。第３の選択の態様では、２つの発電電圧レベル及び二次電池電圧に応じて節電動作と機能動作の選択を行う。
【００７９】
図１６，図１７は第３の選択の態様を実現する第１及び第２の構成例を示している。図１６，図１７に示す構成例は、第１の選択の態様で示した図８，９の構成例とほぼ共通の構成であり、優先条件手段９ａ，９０ａとしてアンド回路９ａ１、９０ａ１を用い、残容量検出手段１４ｂと発電検出手段１４ａの検出信号の論理積を選択信号とする。
【００８０】
他の構成は共通するため、ここでは図１６，図１７の説明は省略する。したがって、第３の選択の態様では、優先動作選択手段９，９０は残容量検出手段１４ｂと発電検出手段１４ａの検出信号の論理積に基づいて選択動作を行う。
図１８は第３の選択の態様による選択動作の手順例を示すフローチャートであり、図１９はこのときの発電電圧及び二次電池電圧に対する選択動作を説明する図である。
【００８１】
予め、二次電池電圧に対する設定レベルとしてＶａを定め、発電電圧に対して設定レベルとしてＶＡ及びＶＢを定めておく。この実施形態では、ＶＡ＞ＶＢとしているが、設定レベルの大小関係はこの限りではない。Ｖａ，ＶＡは機能情報表示を行うか否かを定めるレベルであり、ＶＢは節電動作を行うか否かを定めるレベルである。
【００８２】
はじめに、二次電池電圧をレベルＶａと比較し、二次電池電圧がレベルＶａ以上である場合には（ステップＳ３１）、さらに発電電圧をレベルＶＡと比較する（ステップＳ３２）。このレベルＶＡとの比較において、発電電圧レベルがＶＡ以上である場合には（ステップＳ３２）、機能情報を表示する（ステップＳ３３）。
【００８３】
一方、二次電池電圧がレベルＶａに満たない場合（ステップＳ３１）、及び発電電圧がレベルＶＡに満たない場合（ステップＳ３２）には、発電電圧をレベルＶＢと比較する（ステップＳ３４）。レベルＶＢとの比較において、発電電圧がレベルＶＢ以上である場合には（ステップＳ３４）、時刻情報を通常動作状態で表示し（ステップＳ３５）、発電電圧がレベルＶＢに満たない場合には（ステップＳ３４）、時刻情報表示を節電動作状態で表示する（ステップＳ３６）。
【００８４】
なお、図１９中に示す符号Ａ，Ｂは、図１７のセレクタ９０ｂで選択される端子を示し、機能情報表示時には端子Ｂが選択され、時刻情報表示時（通常動作状態及び節電動作状態）には端子Ａが選択される。
次に、図２０乃至図２３を用いて第４の選択の態様について説明する。第４の選択の態様では、２つの発電電圧レベル及び二次電池電圧に応じて節電動作と機能動作の選択を行う。
【００８５】
図２０，２１は第４の選択の態様を実現する第１及び第２の構成例を示している。図２０，２１に示す構成例は、第１の選択の態様で示した図８，９の構成例とほぼ共通の構成であり、優先条件手段９ａ，９０ａとしてオア回路９ａ２，９０ａ２を用い、残容量検出手段１４ｂと発電検出手段１４ａの検出信号の論理和を選択信号とする。
【００８６】
他の構成は共通するため、ここでは図２０，２１の説明は省略する。したがって、第４の選択の態様では、優先動作選択手段９，９０は残容量検出手段１４ｂと発電検出手段１４ａの検出信号の論理和に基づいて選択動作を行う。
図２２は第４の選択の態様による選択動作の手順例を示すフローチャートであり、図２３はこのときの発電電圧及び二次電池電圧に対する選択動作を説明する図である。
【００８７】
予め、二次電池電圧に対する設定レベルとしてＶａを定め、発電電圧に対して設定レベルとしてＶＡ及びＶＢを定めておく。この実施形態では、ＶＡ＞ＶＢとしているが、設定レベルの大小関係はこの限りではない。Ｖａ，ＶＡは機能情報表示を行うか否かを定めるレベルであり、ＶＢは節電動作を行うか否かを定めるレベルである。
【００８８】
はじめに、二次電池電圧とレベルＶａの比較、及び発電電圧とレベルＶＡとの比較を行い、二次電池電圧がレベルＶａ以上あるいは発電電圧がレベルＶＡ以上である場合には（ステップＳ４１）、機能情報を表示する（ステップＳ４２）。
一方、二次電池電圧がレベルＶａに満たなく、かつ発電電圧がレベルＶＡに満たない場合には（ステップＳ４１）、発電電圧をレベルＶＢと比較する（ステップＳ４３）。レベルＶＢとの比較において、発電電圧がレベルＶＢ以上である場合には（ステップＳ４３）、時刻情報を通常動作状態で表示し（ステップＳ４４）、発電電圧がレベルＶＢに満たない場合には（ステップＳ４３）、時刻情報表示を節電動作状態で表示する（ステップＳ４５）。
【００８９】
なお、図２３中に示す符号Ａ，Ｂは、図２１のセレクタ９０ｂで選択される端子を示し、機能情報表示時には端子Ｂが選択され、時刻情報表示時（通常動作状態及び節電動作状態）には端子Ａが選択される。
次に、図２４乃至図２７を用いて第５の選択の態様について説明する。第５の選択の態様では、外部操作に応じて機能動作と節電動作の選択を行う。
【００９０】
図２４，２５は第５の選択の態様を実現する第１及び第２の構成例を示している。図２４，２５に示す構成例は、外部操作検出手段１４ｃを除いて、第１の選択の態様で示した図８，９の構成例とほぼ共通の構成とすることができる。外部操作検出手段１４ｃは、スイッチ手段等の外部操作部材や設定メモリやワイヤ構成とすることができる。スイッチ手段等の外部操作部材によれば、電子時計を製造した後の任意の時点で選択することができる。また、電子時計を製造工程中に選択する場合には、ＩＣ回路中のメモリ内における設定したり、ワイヤオプションによるハード構成によって行うことができる。その他の構成は共通するため、ここでは図２４，２５の説明は省略する。第５の選択の態様によれば、優先動作選択手段９、９０は外部操作の信号に基づいて選択動作を行う。
【００９１】
図２６は第５の選択の態様による選択動作の手順例を示すフローチャートであり、図２７はこのときの外部操作及び発電電圧に対する選択動作を説明する図である。
なお、予め、発電電圧に対して、節電動作を行うか否かを定めるレベルＶＡを定めておく。
【００９２】
はじめに、外部操作手段による機能情報優先の選択の有無を検出し（ステップＳ５１）、機能情報優先が選択された場合には（ステップＳ５１）、機能情報を表示する（ステップＳ５２）。一方、機能情報優先が選択されない場合には（ステップＳ５１）、発電電圧をレベルＶＡと比較する（ステップＳ５２）。レベルＶＡとの比較において、発電電圧がレベルＶＡ以上である場合には（ステップＳ５３）、時刻表示情報を通常動作状態で表示し（ステップＳ５４）、発電電圧がレベルＶＡに満たない場合には（ステップＳ５３）、時刻情報表示を節電動作状態で表示する（ステップＳ５５）。
【００９３】
なお、図２７中に示す符号Ａ，Ｂは、図２５のセレクタ９０ｂで選択される端子を示し、機能情報表示時には端子Ｂが選択され、時刻情報表示時（通常動作状態及び節電動作状態）には端子Ａが選択される。
第５の選択の態様に示した、外部操作に応じて機能動作と節電動作の選択は、第１〜４の選択の態様と組み合わせることができ、第１〜４の選択の態様と外部操作による第５の選択の態様の何れを優先するかは、別に設けた選択手段によって設定することができる。
【００９４】
なお、本実施形態の電子時計は、上記した各構成に示すようにハードウエアを用いて構成することも、あるいはソフトウエアにより構成することもできる。図２８は本発明の電子時計のソフトウエアによる構成例を示す図である。図２８において、前記した各構成例中の電子回路２０が行う各機能は、アナログ電子時計制御用ＣＰＵ・ＩＣ４０、ＲＯＭ４２、及びＲＡＭ４３によって構成することができ、ＲＯＭ４２には時刻情報を発生するためのプログラム、機能情報を発生するためのプログラム、優先動作選択を行うためのプログラム、その他電子時計の機能を実現するためのプログラムが格納されている。また、アナログ電子時計制御用ＣＰＵ・ＩＣ４０は、内部に発振回路を内蔵しており、水晶発振器４１の出力を用いてクロック信号を形成している。
【００９５】
このアナログ電子時計制御用ＣＰＵ・ＩＣ４０には、発電手段６ａの発電状態を検出する発電検出手段１４ａ、及び二次電池６ｂの電圧等を検出して残容量を検出する残容量検出手段１４ｂ、電子時計に対する各種の操作や選択を入力する入力操作スイッチ部４４が接続され、アナログ電子時計制御用ＣＰＵ・ＩＣ４０に対して検出信号や制御信号や選択信号を入力する。また、アナログ電子時計制御用ＣＰＵ・ＩＣ４０には、ブザー４５、時針２１、分針２２、及び秒針２３が接続され、時刻情報の表示や機能情報の表示が行われる。また、表示手段としては、時針２１、分針２２、秒針２３の他、液晶表示手段を用いることもできる。
【００９６】
図２９に、本実施形態による電子時計１０の構成例を示す。
この電子時計は、通常の時刻情報表示の為の文字板２４と時分針２１、２２と秒針２３を有すると共に、クロノ表示用分針３０を有している。この例では、秒針２３がクロノ表示用のクロノ秒針を兼ねている。
【００９７】
更に、本構成例においてはモード表示針２５が設けられており、モード表示針２５の位置によってそれぞれ異なる機能が設定される様になっている。本構成例では、モード表示針２５は、通常の時刻情報を表示する時刻情報表示位置（ＴＭＥ）２６と、クロノ表示機能を実行するクロノ表示位置（ＣＨＲ）２７の２つの異なる位置に切替え可能に構成され、リューズ３３を操作することによってＴＭＥ２６あるいはＣＨＲ２７の何れか一方の位置に移動させることができる。
【００９８】
すなわち、本構成例においては、モード表示針２５を時刻情報表示位置（ＴＭＥ）２６に設定すると、時分針２１、２２と秒針２３は、それぞれ現在時刻を表示し、一方、モード表示針２５をクロノ表示位置（ＣＨＲ）２７に設定すると、時分針２１、２２は現在時刻の時，分を表示すると共に、その設定時点のクロノモードへ移行後、スタート操作を行うとクロノ表示機能が開始され、秒針２３がクロノ秒を表示すると共に、クロノ分針３０とが共同してクロノ経時を示すことになる。
モード表示針２５が、時刻情報表示位置（ＴＭＥ）２６あるいはクロノ表示位置（ＣＨＲ）２７に設定されているとき、節電動作状態に入るに必要な条件が検出されると、この検出時点で自動的に、あるいはユーザーが釦ＰＢ１あるいはＰＢ２の何れかを押しさげることによって、秒針２３がパワーセーブ位置２９（例えば０秒の位置）に移動して、電子時計１０が節電動作状態に設定されていることを表示することになっている。
【００９９】
また、節電動作状態の解除は、節電動作状態の必要条件が満たされなくなったことを検出する検出信号に基づいた自動処理、あるいは電子時計に設けられた特定の釦ＰＢ１あるいはＰＢ２の何れかを押し下げることによるマニュアル操作が可能である。
【０１００】
また、電子時計の機能としては、アラーム機能、クロノ表示機能、カレンダー機能、水深計測機能、高度計測機能の他、特に電子時計が充電式で太陽電池等の発電手段を有する発電式電子時計である場合に、一旦充電不足により時計が一時停止した状態から再充電によって電子時計が再起動したときに時刻狂いを警告する時刻合わせ警告機能情報、あるいは充電を促す警告である充電警告機能情報、蓄電手段である二次電池または蓄電器等の残量を表示する残量警告機能情報の各機能情報も、本発明の機能情報の内の１つである。特に、発電手段が太陽電池である場合に、時計の周囲が暗くなったことを検知して節電状態を優先することは、どのみち周囲が暗く表示が見えない状態にあって前記警告情報は視認不可能であるため、節電状態として表示手段を停止させることは非常に合理的である。
【０１０１】
また、発電手段が自動巻発電あるいは熱発電等の場合には、時計の周囲の暗さと発電の有無とは独立であり、上記のことは言えない。勿論、太陽電池以外の発電手段であっても、時計の周囲が暗いことを検出するセンサを備えれば同様の効果が得られる。
【０１０２】
以上説明したように、第１の実施形態による電子時計および電子時計の駆動方法は、上記した様な技術構成を採用しているので、多種類の付加的な機能情報を提供し得る多機能式の電子時計において、節電モードと機能情報動作状態モードとを個別に使用し得る様に構成された商品価値の高い電子時計及び電子時計の駆動方法を容易に実現することが可能となり、節電モードと機能情報動作状態モードとを選択して優先制御することができる。
【０１０３】
次に、本発明の第２の実施形態の概要を図３０乃至図４６を用いて説明する。
本実施形態による電子時計は、節電動作状態と機能動作状態と警告動作状態のいずれかを優先する手段を備え、表示手段に対する節電動作状態と機能動作状態と警告動作状態が競合した場合においても、その優先に従って節電動作状態と機能動作状態と警告動作状態のいずれかを採用する様にしたものである。
具体的には、本実施形態においては、優先動作選択手段による選択によって、状況に応じて節電動作状態あるいは機能動作状態あるいは警告動作状態のうちのいずれか１つの状態を優先させる様に構成したものである。
【０１０４】
図３０及び図３１は、本実施形態の電子時計が備える各手段及びその動作を説明するための概略図である。図３０及び図３１において、優先動作選択手段によって節電動作手段あるいは機能情報発生手段あるいは警告情報発生手段のいずれか１つを選択し動作させることによって、節電動作状態あるいは機能動作状態あるいは警告動作状態のいずれか１つの状態を優先するものである。
【０１０５】
以下、図３０及び図３１を参照して本実施形態の電子時計を説明する。
図３０（ａ）において、電子時計１０は、時刻情報を発生する時刻情報発生手段Ａと、クロノ計測機能，タイマー機能、アラーム機能、水深計測機能、高度計測機能、時刻の電波修正機能、計算機機能などの付加機能の機能情報を発生する機能情報発生手段Ｂと、充電警告、残量警告、時刻合わせ警告などの警告情報を発生する警告情報発生手段Ｆと、前記時刻情報、機能情報あるいは警告情報を選択的に表示可能とする表示手段Ｃと、通常動作状態よりも消費電力の少ない節電動作状態にて動作させる節電動作手段Ｄと、機能情報発生手段Ｂと警告情報発生手段Ｆと節電動作手段Ｄのいずれか一方を優先させる優先動作選択手段Ｅを備える。なお、警告情報発生手段Ｆに対して一般的な情報である時刻情報あるいは機能情報を発生する時刻情報発生手段Ａと機能情報発生手段Ｂとで一般情報発生手段Ｇを構成する。
【０１０６】
通常動作状態では、図３０（ｂ）に示すように、優先動作選択手段Ｅは、機能情報発生手段Ｂ、節電動作手段Ｄ、警告情報発生手段Ｆのいずれの手段も優先させず、表示手段Ｃは時刻情報を常時表示し、そして、機能情報を選択使用の機能指令が出た時にはこれを表示手段Ｃに表示する。
【０１０７】
これに対して、図３０（ｃ）に示すように、優先動作選択手段Ｅによって節電動作手段Ｄに節電指令が出た状態で、前記機能指令及び警告情報発生手段Ｆへの動作指令である警告指令の両方指令が出ていない場合には、時刻情報、機能情報及び警告情報の表示を停止する。
【０１０８】
次に、節電動作を指令する節電指令が出ている状況で警告指令が出た場合を図３１（ａ）に示しており、節電状態よりも警告表示状態が優先動作選択手段Ｅの制御により優先され、表示手段Ｃは警告表示状態となる。また、時刻情報の表示停止動作において、時刻情報のカウントについては続行させることもできる。
また、図３１（ｂ）に示すように、優先動作選択手段Ｅからの機能優先指令によって機能情報発生手段Ｂが優先された場合には、節電動作よりも機能情報の表示を優先する。
【０１０９】
図３１（ｃ）に示すのは、優先動作選択手段Ｅから機能優先指令が出ている状況で、警告指令が警告最優先指令として出た場合であり、節電動作よりも優先の機能情報表示状態よりも、更に警告表示状態を優先させる。すなわち、警告表示は他の時刻情報や機能情報の一般情報あるいは節電動作状態よりも時計の表示情報として最も大切で、最優先されるべきであるので、図３１（ａ）あるいは（ｃ）で説明したように、警告情報の表示状態を節電動作状態あるいは機能情報表示状態よりも優先させている。そのことにより、時刻情報、機能情報、警告情報を表示し、節電動作状態を有する電子時計において合理的で使い易いものを実現した。
【０１１０】
以下に第２実施形態の具体的な構成について以下に説明する。
図３２は、第２の例の電子時計の要部ブロック図である。図３２において、電子時計５５には、電源が接続されている。この例では、太陽電池、自動巻発電機構、手巻発電機構、熱発電手段、ゼンマイ発電機構などの発電手段５１、高容量のコンデンサあるいは二次電池等の蓄電手段５３、過充電防止手段としてのツェナーダイオード５４、充電の逆流を防止するダイオード５２によって電源を構成している。太陽電池５１に太陽光等の光が入射することによって発電され、ダイオード５２を介して蓄電手段５３は充電され、この蓄電手段５３の充電電圧が電子時計５５に印加され、電力が電子時計５５に印加される。
【０１１１】
符号５６は、基準信号発生回路で、基準信号Ｐ６の信号群（時間基準源１６１から分周された周期の異なる複数のパルスを含む）を出力する。６０は時分運針信号発生回路であり、時分針を２０秒に一回の周期で分針を２度（時針を１/６度）回転させる２０秒ステップパルス信号Ｐ１０を通常動作状態では出力し、第２モータ駆動回路６８介して第２パルスモータ７1を駆動して表示装置７０の分針、時針を駆動する。６１は一般情報を発生する手段である時計の通常信号発生回路で、秒針通常運針信号である１秒ステップパルスＰ１１（正確な時刻情報信号）を通常動作状態では出力する。なお、本実施形態では、一般情報として時刻情報にて例示したが、一般情報としてクロノ情報、タイマー情報、アラーム機能情報などの時計に付加される機能情報も含まれる。前記通常信号発生回路６１の出力はセレクタである第１選択回路６４のＡ入力端子へ入力されている。（本出願におけるセレクタとは、そのＣ端子への入力が"Ｌ"レベルのときＡ入力端子の入力が、"Ｈ"レベルのときＢ入力端子の入力が選択されてＱ端子に出力される制御回路であり、以下のセレクタも同機能の制御回路である。）
符号６２は第１変調信号発生回路で、使用者に時計を充電されるような状態にすること（例えば充電手段として太陽電池を有する時計の場合には光を当てる、自動巻発電式時計の場合には時計を携帯して振動を与える等）を促すための充電警告信号を発生するものである。この信号は２秒ステップ駆動を行わせる２秒ステップパルスＰ１２（例えば４０ｍｓ間隔の一対の駆動パルスを２秒おきに発生するパルス）であり、所定の基準信号Ｐ６に基づいて作成され出力される。この出力は第１選択回路６４のＢ入力端子に入力されている。第１選択回路６４のＱ端子からの出力信号Ｐ１４は１秒ステップパルスＰ１１あるいは２秒ステップパルスＰ１２のいずれかであり、セレクタである第２選択回路６５のＡ入力端子に入力されている。
【０１１２】
本実施形態の第１の例では、正確な時刻情報信号を出力する時分運針信号発生回路６０及び通常信号発生回路６１とにより一般情報発生手段を形成する。
６３は第２変調信号発生回路で、使用者に時計の止まりがあったことを知らせるための止まり警告信号Ｐ１３を発生するものである。この止まり警告信号Ｐ１３は、前記第１変調信号出力回路の出力による２秒ステップパルスＰ１２と異なる不等速に変調された変則２秒ステップパルスＰ１３（例えば４０ｍｓ間隔の駆動パルスと２５０ｍｓ間隔の駆動パルスを２秒間隔で交互に発生するパルス）であり、所定の基準信号Ｐ６に基づいて作成して出力される。この出力は第２選択回路６５のＢ入力端子に入力され、またＡ入力端子には第１選択回路６４のＱ出力信号Ｐ１４が入力されている。第２選択回路６５のＱ出力信号Ｐ１５は、セレクタである第３選択回路６６のＡ入力端子に入力されている。前記第１変調信号発生回路６２、第２変調信号発生回路６３によって本例では警告情報発生手段を形成している。
【０１１３】
また、前記第３選択回路６６のＢ入力端子には、後述する節電状態制御手段７５からの出力信号Ｐ２５が入力され、該第３選択回路６６のＱ端子からの出力信号Ｐ１６は、時計の秒針を駆動する第１モータ駆動回路６７のＩ端子に入力される。
【０１１４】
第１モータ駆動回路６７はＩ端子に入力した駆動信号を２極のパルスモータに適した双極性の駆動パルスＰ１７に変換してＱ端子から出力し、第１パルスモータ６９を駆動する。その他、時計の外部操作スイッチである、例えばリューズを引いた時に時刻合わせ状態に対応する動作を固定するためのリセット入力端子Ｒを備えている。第１のパルスモータ６９は、２極に磁化された永久磁石のロータを有する公知のパルスモータである。符号７０は時刻等を表示する表示装置で、第１のパルスモータ６９によりこの表示装置７０の秒針が駆動される。
【０１１５】
符号５７は充電不足状態を検出する電圧検出回路である。蓄電手段５３の電源電圧が時計の通常使用状態から充電を必要とする状態へ移行する、すなわちこれより降下すると時計を充電が行われる状態にするように使用者に促す基準電圧Ｖ１よりも電源電圧が高い状態では、出力信号Ｐ７を"Ｌ"レベルで出力する。この出力は第１選択回路６４のＣ端子入力であり、該第一選択回路６４はＡ入力端子を選択し、通常状態用の１秒ステップパルスＰ１１をＱ端子より出力する。しかし電圧が降下して基準電圧Ｖ１より低下すると検出信号Ｐ７が"Ｈ"レベルになると、１秒ステップパルスＰ１１に代わってＢ入力の２秒ステップパルスＰ１２が第１選択回路６４のＱ端子から選択出力される。
【０１１６】
基準信号停止記憶回路５８は、前記基準信号発生回路５６の第１分周回路１６２の５１２Ｈｚ出力信号Ｐ６２と第２分周回路１６３の１／２Ｈｚ出力信号Ｐ６３とを用いて基準信号発生回路６の時間基準１６１の発振動作を監視している。
もし、発振が停止すると停止検出信号Ｐ８１をＫ端子から出力し、第２分周回路１６３をリセットする。基準信号停止記憶回路８は発振が止まったことを記憶しており、後刻電源電圧が回復し発振が復活するとそこで"Ｈ"レベルの基準信号停止記憶信号Ｐ８を出力する。この信号Ｐ８はオアゲート１２６を介して第２選択回路６５のＣ端子に入力されると止まり警告信号である変則２秒ステップパルスＰ１３を信号Ｐ１５として選択させる。この基準信号停止記憶信号Ｐ８は、基準信号停止記憶回路５８のＲ端子にリセット信号が入力されると"Ｌ"レベルにリセットされる。なお基準信号停止記憶回路８の詳細については、すでに公知であるので詳細な説明を省略する（詳細は特開昭６２−１９４４８４号公報等を参照）。
【０１１７】
パルスモータ停止記憶回路５９は、第２のパルスモータ７１が正常に動作したかの検出を第２モータ駆動回路６８と信号のやり取りを行って監視している第２モータ駆動回路６８に２０秒ステップパルス信号Ｐ１０が与えられた直後、ロータに残留する振動によってコイルに発生する誘起電圧の時間的変化を観測して正常に回転したか非回転かを判定できるようになっている。パルスモータ停止記憶回路５９は、Ｆ端子に時分運針信号発生回路６０からの２０秒ステップパルス信号Ｐ１０が入力され、また、Ｅ端子に入力される前記基準信号Ｐ６に基づいての所定のタイミングで誘起電圧を取り出すための幾つかのストローブ信号Ｐ９１を作成してＧ端子より出力し第２モータ駆動回路６８のＮ端子に与え、第２モータ駆動回路６８はその各瞬間における誘起電圧値をＺ端子より一連の誘起電圧信号を出力し、パルスモータ停止記憶回路５９のＹ端子に返す。誘起電圧信号によりロータ非回転と検出判断するとその事を記憶し、第２のパルスモータ２１の回転が停止したとき出力端子Ｑに"Ｈ"レベルのパルスモータ停止記憶信号Ｐ９を出力する。信号Ｐ９はオアゲート１２６に一方の端子に入力され、このオアゲート１２６の他方の入力端子には前述したように基準信号停止記憶回路５８の出力基準信号停止記憶信号Ｐ８が入力されている。オアゲート１２６の出力は、第２選択回路６５のＣ端子及びオアゲート１２８に入力されている。このパルスモータ停止記憶回路５９も公知のものであり、その構成の詳細な説明は省略する（詳細は特開昭６２−１９４４８４号公報等を参照）。
【０１１８】
符号７４は手動スイッチ回路であり、リューズの出し入れ操作等の外部操作スイッチによって状態を変え、例えばリューズが引かれている時"Ｈ"レベルのリセット信号Ｐ２４を出力する。リセット信号Ｐ２４は、基準信号停止記憶回路５８、パルスモータ停止記憶回路５９、第１、第２のモータ駆動回路６７、６８のリセット端子Ｒに、また、節電状態制御手段７５に入力されている。リセット用信号Ｐ２４により、これらの回路を初期論理状態に戻し、基準信号やモータの停止の記憶を消去する。そして蓄電手段５３の電源電圧が正常な状態で表示を手動針合わせ等を行い、その後でリューズを押し込むと、リセットされていた各回路の拘束が一斉に解かれ、時計動作が初期状態からスタートする。
非発電検出手段７３は、発電手段５１の発電状態を検出するもので非発電状態が設定所定時間継続したとき"Ｈ"レベルの出力信号Ｐ２３を出力する。
【０１１９】
図３３は、上記節電状態制御手段７５の詳細ブロック図である。基準信号発生回路５６からの基準信号Ｐ６は、６４Ｈｚ早送り運針信号作成回路２５４に入力されている。通常状態信号発生回路６１の出力信号Ｐ１１は、現在秒６０進カウンタ２５０に入力されている。第３選択回路６６のＱ端子からの出力信号Ｐ１６は秒針位置６０進カウンタ２５１に入力されている。また、基準信号発生回路６の第２分周回路１６２からの６４Ｈｚの信号Ｐ６４が６４Ｈｚ早送り運針信号作成回路２５４に入力され、前記基準信号Ｐ６も用いて早送りパルスＰ２５４を作成する。さらに、手動スイッチ回路７４からのリセット信号Ｐ２４は、現在秒６０進カウンタ２５０及び秒針位置６０進カウンタ２５１のリセット端子に入力され、これらのカウンタをリセットする。非発電検出手段の出力Ｐ２３はアンドゲート２５５の一方の端子と、インバータＩ２５３を介してアンドゲート２５６の一方の端子に入力されている。現在秒６０進カウンタ２５０と秒針位置６０進カウンタ２５１のカウント値は、一致検出回路２５２で比較され一致した場合"Ｈ"レベルの出力信号を出力し、インバータＩ２５１を介してアンドゲート２５６の他方の端子に入力されている。また、秒針位置６０進カウンタ２５１の出力信号を入力とし、該秒針位置６０進カウンタのカウント値のゼロを検出するゼロ検出回路２５３が設けられ、該ゼロ検出回路２５３がゼロを検出したとき"Ｈ"レベルの出力信号を出力しインバータＩ２５２を介してアンドゲート２５５の他方の端子に入力されている。この２つのアンドゲート２５５、２５６の出力はオアゲート２５７を介して、アンドゲート２５８の一方の端子に入力され、他方の端子には６４Ｈｚ早送り運針信号作成回路２５４からの前記早送りパルスＰ２５４が入力され、このアンドゲート２５８の出力がこの節電状態制御手段の出力信号Ｐ２５として、第３の選択回路６６のＢ入力端子に入力されている。アンドゲート２５６の出力信号Ｐ２５６は、節電状態制御手段７５から出力され、オアゲート１２９へ出力されている。オアゲート１２９の他方の入力端子には非発電検出手段７３の出力信号Ｐ２３が入力されている。オアゲート１２９の出力はアンドゲート１２７に入力され、アンドゲート１２７の他方の端子には、ノアゲート１２８の出力が入力されている。またノアゲート１２８には、電圧検出回路５７の出力信号Ｐ７とオアゲート１２６の出力信号が入力されている。また、アンドゲート１２７の出力は第３選択回路のＣ端子に入力されている。
【０１２０】
次に、この例の動作を説明する。まず、蓄電手段５３の電圧は基準電圧以上で電圧検出回路７からは"Ｌ"レベルの電圧検出信号Ｐ７が出力され、発電手段１では発電が行われ、非発電検出手段７３の出力信号Ｐ２３は"Ｌ"レベルで発電中を示している。このような通常の状態では、基準信号発生回路５６からの基準信号Ｐ６に基づいて、時分運針信号発生回路６０は、分針、時針を駆動する２０秒ステップパルス信号Ｐ１０を出力し、第２モータ駆動回路６８によって第２のパルスモータ７１を駆動して表示装置７０の時針、分針を駆動し、現在時分を表示する。一方、電圧検出回路７の出力信号Ｐ７は"Ｌ"レベルであるから、第１選択回路６４のＣ端子には"Ｌ"レベル信号が入力されＡ入力端子が選択される。また、基準信号停止記憶回路５８の出力信号である基準信号停止記憶信号Ｐ８及びパルスモータ停止記憶回路５９からのパルスモータ停止記憶信号Ｐ９は通常状態では共に"Ｌ"レベルであるから、オアゲート１２６の出力信号は"Ｌ"レベルで、第２選択回路６５のＣ端子には"Ｌ"レベル信号が入力されＡ入力端子が選択される。
【０１２１】
また、非発電検出手段７３の出力信号Ｐ２３は発電手段５１が発電していると"Ｌ"レベルで、節電状態制御手段７５のアンドゲート２５６からの出力信号Ｐ２５６も"Ｌ"レベルであるからオアゲート１２９の出力信号も"Ｌ"レベルであり、その結果アンドゲート１２７の出力は"Ｌ"レベルとなって、第３選択回路６６のＣ端子には"Ｌ"レベル信号が入力されＡ入力端子が選択される。よって、通常状態信号発生回路６１の出力信号である１秒ステップパルスＰ１１は、第１、第２、第３の選択回路６４，６５，６６のＡ入力端子、Ｑ出力端子を介して信号Ｐ１６として第１モータ駆動回路６７の端子Ｉに入力され、該第１モータ駆動回路６７の出力信号Ｐ１７によって第１のパルスモータ６９が駆動され、表示装置７０の秒針は駆動されて通常の1秒運針として秒を刻むことになる。このようにして通常の時、分、秒の時刻の表示が表示装置７０で行われることになる。
【０１２２】
このような通常の状態において、所定時間発電がなされていないことが非発電検出手段７３で検出され、該非発電検出手段７３の出力信号Ｐ２３が"Ｈ"レベルとなるとオアゲート１２９及びアンドゲート１２７の出力が"Ｈ"レベルとなり、またノアゲート１２８の入力は電圧検出回路５７からの"Ｌ"レベルの電圧検出信号Ｐ７と、"Ｌ"レベルのオアゲート１２６の出力信号であるから、このノアゲート１２８の出力信号は"Ｈ"レベルである。そこで前述したように非発電検出手段７３の出力信号Ｐ２３が"Ｈ"レベルとなると、オアゲート１２９を介してアンドゲート１２７の出力は"Ｈ"レベルとなり、その結果アンドゲート１２７の出力信号も"Ｈ"レベルとなり第３選択手段のＣ端子に"Ｈ"レベル信号を入力することにより、第３選択手段６６はＢ端子側を選択することになる。なお、電圧検出信号Ｐ７及びオアゲート１２６の出力信号は、"Ｌ"レベルであるから、第１、第２の選択手段６４、６５はＡ入力端子側を選択している。
【０１２３】
一方、節電状態制御手段７５においては（なお、図３４の節電状態制御手段７５の動作タイミングチャートを以下参照）、発電が行われている通常の状態では、現在秒６０進カウンタ２５０のカウント値と秒針位置６０進カウンタ２５１のカウント値は一致しているから、一致検出回路２５２からは"Ｈ"レベルの信号が出力され、この信号はインバータＩ２５１によって反転されて"Ｌ"レベル信号となり、アンドゲート２５６に入力されている。その結果、アンドゲート２５６の出力信号Ｐ２５６は"Ｌ"レベルである。また、発電中においては非発電検出手段７３から"Ｌ"レベルの信号Ｐ２３が出力されているから、アンドゲート２５５の出力は"Ｌ"レベルである。その結果、オアゲート２５７の出力も"Ｌ"レベルで、アンドゲート２５８は閉じられ、該アンドゲート２５８からは何等出力信号は出力されず、節電状態制御手段７５からは出力はない。
【０１２４】
そこで、非発電検出手段７３が所定時間発電が停止していることを検出し、"Ｈ"レベルの信号Ｐ２３を出力すると、秒針位置６０進カウンタ２５１のカウント値が「０」でないときにはアンドゲート２５５は"Ｈ"レベルの信号を出力することになる。
【０１２５】
なぜならば、ゼロ検出回路２５３で、秒針位置６０進カウンタ２５１のカウント値が「０」でないことを検出した状態では、ゼロ検出回路２５３から"Ｌ"レベルの信号が出力されインバータＩ２５２によって"Ｈ"レベルに反転されてアンドゲート２５５に入力されるから、アンドゲート２５５の２つの入力は両方とも"Ｈ"レベルとなって、該アンドゲート２５５からは"Ｈ"レベルの出力信号が出されるからである。
【０１２６】
この"Ｈ"レベルの信号は、オアゲート２５７を介してアンドゲート２５８に入力されることから、該アンドゲート２５８は開き、６４Ｈｚ早送り運針信号作成回路２５４で作成された早送りパルスｐ２５４を該節電状態制御手段７５の出力信号Ｐ２５として出力することになる。この信号Ｐ２５は第３選択回路６６のＢ端子に入力され、前述したように、発電が停止している状態では、第３選択回路６６のＢ端子が選択されているから、上記信号Ｐ２５の早送りパルスＰ２５４は、第３選択回路６６のＱ端子から信号Ｐ１６として出力され、第１モータ駆動回路６７に入力され、秒針を早送りすることになる。
【０１２７】
また、前記第３選択回路６６のＱ端子から信号Ｐ１６は、秒針位置６０進カウンタ２５１が入力されているので、該秒針位置６０進カウンタ２５１も６４Ｈｚの早送りにてカウント動作することになる。そして、ゼロ検出回路２５３で、該カウンタ２５１のカウント値が「０」となったことが検出されると、ゼロ検出回路２５３からは"Ｈ"レベルの信号が出力され、インバータＩ２５２で反転されてアンドゲート２５５の入力は"Ｌ"レベルとなるので、アンドゲート２５５の出力も"Ｌ"レベルとなり、アンドゲート２５８は閉じられ、早送りパルスＰ２５４は信号Ｐ２５として出力されなくなる。その結果、秒針は、「０」の位置（真上の向きの位置）で停止することになる。なお、本例では「０」の位置としたが、秒針が停止する位置は任意位置でも良い。秒針の停止による節電がはかれれば良いからである。但し、「０」位置の秒針停止が節電モード表示を兼用させる慣習があることから「０」位置で停止させることが多い。秒針が「０」の位置で停止し、発電が再開されない状態では、非発電検出手段７３の出力信号Ｐ２３は"Ｈ"レベルであり、この信号をインバータＩ２５３で反転して"Ｌ"レベルの信号が入力されるから、アンドゲート２５６の出力信号Ｐ２５６は"Ｌ"レベルであり、また、ゼロ検出回路２５３からは"Ｈ"レベルの信号が出力されているから、インバータＩ２５２で反転されてアンドゲート２５５に入力されるから、その出力信号は"Ｌ"であるから、アンドゲート２５８のオアゲート２５７からの入力は"Ｌ"レベルとなって、ゲートは閉じ、この状態では節電状態制御手段７５の出力信号Ｐ２５は何等出力されない。これにより、発電が再開されない限り秒針は「０」の位置で停止し、移動することはない。秒針が駆動されないことによりエネルギーの消費を節約し、節電状態を保持することになる。
【０１２８】
こうして、秒針の運針が停止され節電状態を保持している状態においては、現在秒６０進カウンタ２５０は、１秒ステップパルスＰ１１をカウントしているが、秒位置６０進カウンタは、入力がないことからゼロで停止しており、一致検出回路２５２からは、現在秒６０進カウンタ２５０のカウント値が「０」になる毎に、そのカウント期間"Ｈ"レベルの信号を出力するが、他の区間では"Ｌ"レベルの信号を出力し、通常は"Ｌ"レベルの信号を出力することになり、インバータＩ２５１を介してアンドゲート２５６に入力される信号は、現在秒６０進カウンタ２５０のカウンタ値が「０」以外の区間では通常"Ｈ"レベルの信号となっている。そこで、発電が再開され、非発電検出手段７３の出力信号Ｐ２３が"Ｌ"レベルになると、アンドゲート２５６にはインバータＩ２５３で反転された"Ｈ"レベルの信号が入力されることになるので、前記カウンタ２５０のカウント値が「０」以外の区間では該アンドゲート２５６からは"Ｈ"レベルの信号Ｐ２５６が出力され、この信号によりオアゲート２５７を介してアンドゲート２５８は開かれて、６４Ｈｚ早送り運針信号作成手段２５４からの早送り信号Ｐ２５４が信号Ｐ２５として出力する。そして、この信号Ｐ２５は秒位置６０進カウンタ２５１に入力されるから、該カウンタ２５１は６４Ｈｚの早送りにてカウントし、現在秒６０進カウンタ２５０のカウント値とそのカウント値が一致すると、一致検出回路２５２から"Ｈ"レベルの信号が出力され、インバータＩ２５１介してアンドゲート２５６に"Ｌ"レベルの信号が入力されることになるので、該アンドゲート２５６の出力信号Ｐ２５６は"Ｌ"レベルとなり、アンドゲート２５８は閉じ、信号Ｐ２５の出力はなくなる。すなわち、発電が再開されてから、秒針が現在秒６０進カウンタ２５０のカウント値で示される位置まで移動するまで、節電状態制御手段７５から早送り信号Ｐ２５４がＰ２５として出力されることになる。
【０１２９】
一方、発電が再開されたことにより非発電検出手段７3の出力信号Ｐ２３が"Ｌ"レベルとなっても、オアゲート１２９に入力される前記アンドゲート２５６の出力の"Ｈ"レベルの信号Ｐ２５６により、アンドゲート１２７の出力は"Ｈ"レベルを保持し、第３選択回路のＣ端子に入力されることから、このＣ端子は、非発電検出手段７３の出力信号Ｐ２３が"Ｌ"レベルになっても、その出力は"Ｈ"レベルに保持され、この信号Ｐ２５６が"Ｌ"レベルになるまで、すなわち、秒針が現在秒６０進カウンタ２５０のカウント値で示される位置まで６４Ｈｚの早送りで移動するまで、第３選択回路６６はＢ端子側を選択して、上述した早送り信号Ｐ２５４をＱ端子より出力して、第１モータ駆動回路６７で第１のパルスモータ６９を駆動し、秒針を早送りする。そして、秒針が現在秒６０進カウンタ２５０のカウント値で示される位置まで移動すると、前記アンドゲート２５６の出力信号Ｐ２５６は"Ｌ"レベルとなり、Ｃ端子の入力が"Ｌ"レベルとなることにより、この第３選択回路６６はＡ端子を選択し、第１、第２の選択回路６４、６５のＡ入力端子、Ｑ端子を介して送られてくる通常状態信号発生回路６１の出力信号である１秒ステップパルスＰ１１をＱ端子より出力し、秒針を通常の状態での運針に戻す。
【０１３０】
以上が、蓄電手段５３の電圧が所定電圧以上で、通常の動作を時計が行っているときに非発電が検出されて節電状態に移行し、発電が再開されることによりこの節電状態を解除して、通常の時計表示に復帰するまでの動作である。
次に、蓄電手段５３の電圧が所定電圧より低下したときの充電警告情報表示動作について説明する。
【０１３１】
蓄電手段５３の電圧が所定電圧より低下したとき、電圧検出回路７の出力信号Ｐ７は"Ｈ"レベルとなる。すると、第１選択回路６４のＣ端子の入力が"Ｈ"レベルとなって、該第１選択回路６４はＢ端子を選択し、第１変調信号発生回路６２からの２秒ステップパルス信号Ｐ１２をＱ端子より出力することになる。また、第２、第３の選択回路６５、６６のＣ端子への入力は"Ｌ"レベルであり、Ａ端子が選択されるので、第１変調信号発生回路６２からの２秒ステップパルス信号Ｐ１２が第１モータ駆動回路６７に入力されて、第１のパルスモータ６９をこの２秒ステップパルスＰ１２で駆動して、秒針を２秒運針させることによって、充電警告を行う。すなわち、秒針の２秒運針動作によって、蓄電手段５３の電圧が低下していることから充電を促す警告を行うものである。
【０１３２】
この充電警告動作を行っているときに、発電が所定時間行われず非発電検出手段７３から非発電となったことを示す"Ｈ"レベルの信号Ｐ２３が出力されたとしても、アンドゲート１２７の出力は変化せず"Ｌ"レベルのままであるから（なぜならば、ノアゲート１２８には電圧検出回路５７の"Ｈ"レベルの出力信号Ｐ７が入力されていることにより該ノアゲート１２８の出力は"Ｌ"レベルで、アンドゲート１２７の出力は"Ｌ"レベルである）、第３の選択回路６６は、Ａ端子を選択して第１変調信号発生回路６２の出力信号である２秒ステップパルスＰ１２をＱ端子より出力し充電を促す為の警告を継続する。
【０１３３】
逆に、前述した秒針が「０」位置に停止している節電状態の、非発電検出手段７３から非発電中であることを示す"Ｈ"レベルの信号Ｐ２３が出力されていた状態で、電圧検出回路５７が電圧が基準電圧以下に低下したことを検出して、その出力信号Ｐ７が"Ｈ"レベルになったとき、該出力信号Ｐ７の"Ｈ"レベル信号によって、ノアゲート１２８の出力が"Ｌ"レベルとなり、アンドゲート１２７の出力も"Ｌ"レベルとなって、第３選択回路６６のＣ端子を"Ｌ"レベルとするから、Ａ端子が選択されることになる。これにより、第１変調信号発生回路６２の出力信号である２秒ステップパルスＰ１２は、第１選択回路６４のＢ端子、Ｑ端子、第２選択回路６５のＡ端子、Ｑ端子、第３選択回路のＡ端子、Ｑ端子を介して第１モータ駆動回路６７に入力されることになり、秒針を２秒ステップパルスＰ１２に基づいて駆動する充電を促す警告である２秒運針に秒針の動作に切り換わる。
【０１３４】
このように、充電を行うように警告する警告状態に一度なると、節電状態であっても、充電警告表示が継続し、また、充電警告表示状態のときに所定時間発電が行われていないことが検出されたとしても、節電状態へは移行せず充電警告表示状態を保持するもので、警告表示が節電状態よりも優先されて表示される。
【０１３５】
次に、第２のパルスモータ７１の停止あるいは基準信号発生回路５６の停止後、再充電に基づく時計の再起動時に、時計を正確な時間に合わせる必要がある状態のときの警告情報である止まり警告表示状態と節電状態との状態優先の関係を説明する。
【０１３６】
蓄電手段５３の電圧が低下し、第２のパルスモータ７１が停止したとき、パルスモータ停止記憶手段５９は、このパルスモータの停止を検出するとＱ端子より"Ｈ"レベルの信号Ｐ９を出力する。この信号Ｐ９は、蓄電手段３の電圧が回復してパルスモータが駆動を開始した後でも、リューズが引かれ、手動スイッチ回路７４からのリセット信号Ｐ２４が出力され、リセットされるまで、"Ｈ"レベルを保持する。また、基準信号停止記憶回路５８は、基準信号発生回路５６の動作が停止したことを記憶し、該基準信号発生回路５６が、蓄電手段５３の再充電により再び時間基準源１６１の発振動体などの基準信号発生回路５６の動作が開始すると、この基準信号停止記憶回路５８はＱ端子より"Ｈ"レベルの信号Ｐ８を出力し、リューズを引いて、手動スイッチ回路７４からのリセット信号Ｐ２４でリセットされるまで、"Ｈ"レベルを保持する。
【０１３７】
その結果、第２のパルスモータ７１が停止、あるいは基準信号発生回路５６の動作が停止した（この動作停止状態ではパルスモータも停止する）後、再充電されて蓄電手段５３の電圧が回復し、基準信号発生回路５６、パルスモータの動作が回復して時計は作動を開始しているが、リューズを引いて時刻合わせがなされていない状態で、時刻表示が誤っている状態では、基準信号停止記憶回路５８はＱ端子あるいはパルスモータ停止記憶手段５９のＱ端子からは"Ｈ"レベルの信号Ｐ８、Ｐ９が出力されており、第２選択回路６５のＣ端子にはオアゲート１２６を介して"Ｈ"レベルの信号が入力されている。これにより、この第２選択回路はＢ端子を選択し、第２の変調信号発生回路６３の出力である変調２秒ステップパルスＰ１３をＱ端子より出力する。また、オアゲート１２６の出力を入力とするノアゲート１２８は、オアゲート１２６の出力が"Ｈ"レベルであるから、該ノアゲート１２８の出力は"Ｌ"レベルとなり、アンドゲート１２７の出力を"Ｌ"レベルにして、第３の選択回路６６のＣ端子が"Ｌ"レベルとなり、Ａ端子を選択する。その結果、第２の変調信号発生回路６３の出力である変調２秒ステップパルス信号Ｐ１３は第２選択回路のＢ端子、Ｑ端子、第３選択回路６６のＡ端子、Ｑ端子を介して第１モータ駆動回路６７に入力される。
【０１３８】
この変調２秒ステップパルス信号Ｐ１３によって秒針が駆動される状態ではパルスモータ停止あるいは基準信号停止の間の時間分だけ時刻が遅れて合っておらず、時刻合わせをユーザーに知らせる警告情報である止まり警告情報を秒針の変則２秒運針にて表示する。この止まり警告情報を表示している場合では、オアゲート１２６の出力が"Ｈ"レベルであり、ノアゲート１２８の出力は"Ｌ"レベルとなってアンドゲート１２７の出力は"Ｌ"レベルであり第３選択回路６６のＣ端子の入力は"Ｌ"レベルとなることから、Ａ端子が選択されて、Ｂ端子が選択されることがないから、節電状態への切替は行われることはない。これは、節電状態となっている状態で（すなわち第３選択回路６６のＣ端子の入力が"Ｈ"レベルの状態で）、パルスモータの停止、基準信号発生回路５６の動作停止等で、パルスモータ停止記憶回路５９，基準信号停止記憶回路８の出力信号Ｐ９、Ｐ８が"Ｈ"レベルとなったとき、発電が所定時間行われず非発電検出手段７３から非発電なったことを示す"Ｈ"レベルの信号７３が出力されたとしても上述したように第３選択回路６６のＣ端子は"Ｌ"レベルの信号が入力されることになり、Ａ端子が選択されて、第２変調信号発生回路から変調２秒ステップパルスＰ１３を出力して時計の表示時刻が間違っており時計の時刻合わせが必要なことをユーザーに知らせる止まり警告情報を優先的に表示する。逆に前述した秒針が「０」位置に停止している節電状態で、パルスモータ停止記憶回路５９、基準信号停止記憶回路５８の出力信号Ｐ９、Ｐ８が"Ｈ"レベルとなると時計は節電状態から止まり警告情報常時状態に前述の充電を促す警告情報表示状態（２秒運針）と同様の制御にて切り換わる。このように、節電状態よりも警告情報表示（止まり警告情報、充電を促す警告情報）の方が優先されることになる。
【０１３９】
図３５は、本実施形態の第２の例のブロック図である。この第２の例は、プロセッサによって時計の運針を制御し、警報表示、節電表示をもこのプロセッサによって制御するようにしたものである。
【０１４０】
図３５において、１００はＣＰＵ（プロセッサ）を有するアナログ電子時計制御装置であり、該アナログ電子時計制御装置１００には、この電子時計を制御するシステムプログラムが格納されたＲＯＭ１０１，データの一時記憶等に利用されるＲＡＭ１０２がバス接続されており、さらには、第１の例で説明したような太陽発電、自動巻発電機構等の発電手段１０５により充電される充電手段である２次電池１０３の電圧検出手段１０４及び、発電手段１０５が発電状態にあるか否かを検出する発電検出手段１０６が接続されている。そして、このＣＰＵを有するアナログ電子時計制御装置１００は、時分表示装置１０７の分針、時針を駆動する駆動用のパルスモータ、秒表示装置１０８の秒針を駆動するパルスモータに接続され、これらパルスモータを駆動制御することによって、時分表示装置１０７、秒表示装置１０８を駆動制御するものである。なお、時分表示装置１０７を駆動するパルスモータが駆動されているか否かを第１の例と同様に検出し、このアナログ電子時計制御装置１００へフィードバックしているが、図では省略している。
【０１４１】
図３６は、この第２例におけるアナログ電子時計制御装置１００のプロセッサ（ＣＰＵ）が実行する通常の時刻表示状態、警報表示状態及び節電状態表示状態等の表示切換処理のフローチャートである。
アナログ電子時計制御装置１００のプロセッサ（ＣＰＵ）は、アナログ電子時計制御装置１００内に設けられている基準信号を発生する発振器が停止し、または時針、分針を駆動するパルスモータがその駆動を停止し、その後、時刻合わせのために入力操作スイッチ１０９からの信号（リューズが引き出されことを示す信号）がなく、一度時針、分針の運針が停止し、時刻合わせが行われていない状態を記憶するフラグ（以下、要時刻合わせフラグという）Ｆ１が「１」にセットされているか否かを判断し（ステップＳ１）、「１」でなければ、基準信号を発生する発振器が停止しているか、または、時針、分針を駆動するパルスモータがその駆動を停止しているかを判断し（ステップＳ２）、発振器が動作しており、かつパルスモータも駆動しておれば、電圧検出手段１０４で検出される二次電池１０３の電圧が基準値以下か判断し（ステップＳ３）、基準値を超えていれば、発電検出手段１０６から、発電手段１０５が所定時間以上の非発電を持続したかを判断し（ステップＳ４）、発電が持続していれば、フラグＦ２（このフラグは後述するように節電状態を記憶するフラグである。）が「１」にセットされているか否か判断し（ステップＳ５）、セットされていなければ、通常の時、分、秒の表示動作処理を行い（ステップＳ８）、ステップＳ１に戻る、以下、発電が継続し、二次電池の電圧が基準値以下にならない状態では、ステップＳ１〜Ｓ５、Ｓ８の処理を繰り返し実行し、通常状態の時計表示を行う。この第２例ではこのステップＳ８の処理によって一般情報発生手段を構成する。
【０１４２】
一方、発電が所定時間以上停止したとき、ステップＳ４でこれが検出され、節電状態を記憶するフラグＦ２が「１」かどうかを判断し（ステップＳ１４）、「１」でなければ、節電状態表示への切換処理を行う（ステップＳ１５）。すなわち、時、分の表示は変更せず（時分表示装置１０７のパルスモータの駆動は通常状態のまま）、秒針が「０」の位置（１２時の位置）になるように秒表示装置１０８のパルスモータを早送りで駆動し、該「０」の位置に秒針を停止させて、節電状態に切り換える。そして、節電状態記憶フラグＦ２を「１」にセットし（ステップＳ１６）、ステップＳ１に戻る。以後は、ステップＳ１〜Ｓ４と移行し、非発電状態が続いていれば、ステップＳ４からステップＳ１４に移行してフラグＦ２が「１」か判断し、前述したようにして「１」にセットされていれば、ステップＳ１７に移行して、節電状態を保持する。すなわち時分表示装置１０７のパルスモータは駆動して時針、分針は時刻表示を続ける。しかし、秒針は「０」の位置に停止したままの節電状態を表示する。以下、非発電が継続する限りステップＳ１〜Ｓ４、Ｓ１４、Ｓ１７の処理を繰り返し実行し節電状態を保持する。
【０１４３】
こうして節電状態が保持されている状態で、発電が再開された場合にはステップＳ４でそれが検出され、ステップＳ４からステップＳ５に進み節電状態記憶フラグＦ２が「１」か判断し、この場合「１」にセットされているから、秒表示のパルスモータを早送りで駆動して秒針を早送りで、現在の秒の位置に移動させる通常状態表示への切換処理を行った後、前記フラグＦ２を「０」にリセットする（ステップＳ６，Ｓ７）。その後通常の動作状態を保持する（ステップＳ８）。
【０１４４】
一方、ステップＳ３で、電圧検出手段によって二次電池の電圧が基準値以下と検出されたときには、そのときの状態が通常動作状態でも、または節電状態でも関係なく、第１変調警告表示状態に移行する（ステップＳ１３）。すなわち、秒表示装置のパルスモータを２秒毎に２パルス駆動して秒針を２秒ステップ動作させて、二次電池１０３の電圧が低下し充電を必要とすることをユーザーに促す充電警告表示を行う。このように、充電のための警告表示は、節電状態よりも優先して表示されることになる。
【０１４５】
また、ステップＳ２で、発振器が停止したこと、またはパルスモータの駆動が停止したことが検出されると、要時刻合わせフラグＦ１を「１」にセットし（ステップＳ９）、第２変調警告表示状態（止まり警告表示状態）に切り替える（ステップＳ１０）。すなわち、秒表示装置のパルスモータを第１変調パターン（２秒ステップ送りパターン）とは異なる第２変調パターンのパルスで駆動し、秒針を第２変調運針で移動させ、過去に時計動作が停止して、現在表示されている時計時刻の表示が誤っていることを、この秒針の運針によって知らせる。そして、入力操作スイッチ１０９から信号（時刻合わせ操作信号）が入力されたか判断し（ステップＳ１１）、入力されてなければ、ステップＳ１に戻り、すでに、要時刻合わせフラグＦ１が「１」にセットされているからステップＳ１からステップＳ１０に移行して、第２変調警告表示を続け、時刻合わせが必要なことをユーザーに知らせる止まり警告表示を行う。以下、入力操作スイッチ１０９から信号（時刻合わせ操作信号）が入力されない限りステップＳ１，Ｓ１０，Ｓ１１の処理を繰り返し実行し止まり警告表示を行い、時刻合わせが必要なことをユーザーに知らせ続ける。そして、入力操作スイッチ１０９から信号（時刻合わせ操作信号）が入力されると、ステップＳ１１からステップＳ１２に移行して要時刻合わせフラグＦ１を「０」にリセットする。以後は、ステップＳ１〜Ｓ８の処理を繰り返し、通常の時刻表示を実行することになる。
【０１４６】
この、第２変調警告表示は、この図５のフローチャートで示す処理より明らかのように、節電状態の表示よりも、さらには、第１変調警告表示よりも優先して表示されることになる。なお、この第２例ではステップＳ１０，Ｓ１３によって警告情報発生手段を構成する。
図３７は、本発明の第３の例の要部ブロック図である。この第３の例は、表示装置が液晶で構成されたデジタル時計の例である。
【０１４７】
太陽電池、自動巻発電機構、手巻発電機構、熱発電手段、ゼンマイ発電機構などの発電手段５１，高容量のコンデンサあるいは二次電池等の蓄電手段５３、過充電防止手段としてのツェナーダイオード５４、充電の逆流を防止するダイオード５２によって電源を構成している点は第１の例と同一であり、同一符号を付している。また、時計装置５０として、基準信号発生回路５６、電圧検出回路５７、基準信号停止記憶回路５８，スイッチ回路７４、非発電検出回路７３を備える点も第１の例と同一であり、各要素には同一の符号を付している。
【０１４８】
相違する点は、時計装置５０において、基準信号発生手段５６からの基準信号Ｐ６に基づいて、時刻情報を発生する時刻情報発生手段８０、充電警告信号発生手段８１，止まり警告信号発生手段８２を備え、セレクタである第１の選択回路８３、第２の選択回路８４，警告優先制御手段３５，表示駆動回路８６，デジタル表示装置８７を備えている点で第１の例と相違する。
【０１４９】
この第３の例の動作について説明する。
まず、蓄電手段５３の電圧が基準値を越えており、電圧検出回路５７の出力信号Ｐ７は"Ｌ"レベルであり、かつ発電手段５１は発電を行っており、非発電検出手段７３の出力Ｐ２３は"Ｌ"レベルである正常な状態では、電圧検出回路５７の出力信号Ｐ７が"Ｌ"レベルであることから、この信号Ｐ７をＣ端子に入力する第１選択回路８３はＡ端子を選択し、時刻情報発生手段８０から出力される時刻情報Ｐ３０をＱ端子より出力する。また、基準信号停止記憶回路５８は、スイッチ回路７４の出力信号Ｐ２４でリセットされた後、基準信号発生回路５６が動作を停止しない限り基準信号停止を記憶しておらず、その出力信号Ｐ８は"Ｌ"レベルである。そのため、第２の選択回路８４のＣ端子に入力されるこの基準信号停止記憶回路５８の"Ｌ"レベルの出力信号Ｐ８によって該第２選択回路８４はＡ端子を選択し、第１選択回路８３からの時刻情報Ｐ３０がＰ８３としてＱ端子より出力する。
【０１５０】
一方、非発電検出手段７３の出力信号Ｐ２３は"Ｌ"レベルで、警告表示優先制御手段３５のインバータ８９によって反転された"Ｈ"レベル信号が、オアゲート８８を介してアンドゲート８５に入力されていることから、第２選択回路８４のＱ端子からの出力信号Ｐ３４である時刻情報Ｐ３０は、該アンドゲート８５を通り表示駆動回路８６に入力され、この時刻情報Ｐ３０に基づいて、表示駆動回路８６は、デジタル表示装置８７に現在時刻を図３８（ａ）に示すように表示する。
【０１５１】
以上のように、電源電圧が基準値を超えており、かつ、発電手段５１が発電を行っている通常の状態では、上述した動作によって、デジタル表示装置８７には現在時刻が表示される。
【０１５２】
このような状態で、例えば、発電手段が所定時間以上発電を停止していることを非発電検出手段７３で検出され、その出力信号Ｐ２３が"Ｈ"レベルとなると、この信号Ｐ２３はインバータ８９で反転され、"Ｌ"レベルとなり、オアゲート８９に入力される。このオアゲート８８に入力されている他の信号Ｐ７，Ｐ８も"Ｌ"レベルであるから（電圧検出回路５７の出力信号Ｐ７は電源電圧が基準値を越えているから"Ｌ"レベル、基準信号停止記憶回路５８は、基準信号停止を記憶していないからその出力信号Ｐ８は"Ｌ"レベルである）、オアゲート８８の出力信号は、"Ｌ"レベルとなりアンドゲート８５を閉鎖する。そのため、表示駆動回路８６には入力信号が停止するため、図３８（ｄ）に示すように、時刻表示を停止し節電状態となる。
【０１５３】
一方、この節電状態で、蓄電手段５３の電圧が基準値以下となり電圧検出回路５７の出力信号Ｐ７が"Ｈ"レベルとなると、オアゲート８８から"Ｈ"レベルの信号が出力されアンドゲート８５を開くので、第２選択回路のＱ端子からの出力信号Ｐ３４を表示駆動回路８６に入力することになる。この場合、第１選択回路８３のＣ端子には、電圧検出回路５７の"Ｈ"レベルの信号Ｐ７が入力され第１選択回路８３はＢ端子を選択し充電警告信号発生手段８１からの充電警告信号Ｐ３１をＱ端子より出力する。また、第２選択回路８４のＣ端子は、基準信号停止記憶回路５８の"Ｌ"レベルの出力信号Ｐ８が入力されているから、Ａ端子を選択し、第１選択回路８１からの充電警告信号Ｐ３１をＱ端子より出力する。この充電警告信号Ｐ３１がアンドゲート８５を通り表示駆動回路８６に入力され、図３８（ｂ）に示すような充電警告表示をデジタル表示装置に表示する。
【０１５４】
なお、蓄電手段５３の電圧が基準値以下となり電圧検出回路５７から"Ｈ"レベルの信号Ｐ７が出力されたときには、非発電検出手段７３からの信号Ｐ２３に関係なく、オアゲート８８からは常に"Ｈ"レベルの信号が出力され、節電状態表示よりも選択された充電警告信号Ｐ３１に基づき充電警告表示の方が優先されることになる。
【０１５５】
また、蓄電手段５３の電圧低下等により基準信号発生回路５６から基準信号の発生が停止し、その後、蓄電手段５３の電圧が回復した場合には、時刻情報発生手段８０から発生する時刻情報は誤っており、時刻合わせを必要とする。この場合、基準信号停止記憶回路５８は、第１の例で述べたように、基準信号停止を記憶し、時刻合わせ操作に基づくＲ端子にリセット信号が入力されない限りこの記憶を保持している。基準信号停止を記憶している状態では、出力信号Ｐ８は、"Ｈ"レベルである。そのため、Ｃ端子にこの信号Ｐ８が入力される第２選択回路８４は、Ｂ端子が選択され、止まり警告信号発生手段８２の出力信号である止まり警告信号Ｐ３２をＱ端子より出力する。一方、オアゲート８８は、基準信号停止記憶回路５８からの"Ｈ"レベルの出力信号Ｐ８が入力されているからその出力は"Ｈ"レベルとなり、アンドゲート８５を開き、第２選択回路８４からの止まり警告信号Ｐ３２が表示駆動回路８６に入力される。その結果、図３８（ｃ）に示すようにデジタル表示装置８７には、止まり警告が表示されることになる。
【０１５６】
この場合でも、非発電検出手段７３からの信号Ｐ２３に関係なく、基準信号停止記憶回路５８からの"Ｈ"レベルの出力信号Ｐ８により、オアゲート８８からは常に"Ｈ"レベルの信号が出力され、節電状態表示よりも選択された止まり警告信号Ｐ３２に基づき止まり警告表示の方が優先されることになる。
【０１５７】
図３９は、本発明の第４の例のブロック図である。この第４の例は、プロセッサによって時刻の表示制御、警報表示、節電表示をデジタル表示装置に表示できるようにしたものである。
【０１５８】
図３９において、符号１４０はＣＰＵ（プロセッサ）を有するデジタル電子時計制御装置であり、該デジタル電子時計制御装置１４０には、この電子時計を制御するシステムプログラムが格納されたＲＯＭ１４１，データの一時記憶等に利用されるＲＡＭ１４２がバス接続されており、さらには、前記各例で説明したような太陽発電、自動巻発電等の発電手段により充電される充電手段である２次電池１４３の電圧検出手段１４４及び、発電手段１４５が発電状態にあるか否かを検出する発電検出手段１４６が接続されている。そして、このＣＰＵを有するデジタル電子時計制御装置１４０は、液晶等で時刻等をデジタル表示するデジタル表示装置１４７と接続され、この表示装置を制御するようになっている。
【０１５９】
図４０は、この第４例における前記デジタル電子時計制御装置１４０のプロセッサ（ＣＰＵ）が実行する通常の時刻表示状態、警報表示状態及び節電状態表示状態等の表示切換処理のフローチャートである。
前記デジタル電子時計制御装置１４０のプロセッサ（ＣＰＵ）は、フラグＦ１が「１」にセットされているか判別し（ステップＴ１）、「１」にセットされていなければ、デジタル電子時計制御装置１４０内に設けられている基準信号を発生する発振器が停止していないか判断する（ステップＴ２）。停止していなければ、入力操作スイッチ１４８より残容量モニタ指令が入力されているか判断し（ステップＴ３）、入力されていなければ、二次電池１４３の電圧が基準値以下か判断し（ステップＴ４）、基準値を超えていれば、発電検出手段１４６から、発電手段１４５が所定時間以上の非発電を持続したかを判断し（ステップＴ５）、発電が持続していれば、通常の時刻情報（ＡＭ／ＰＭ、時、分）の表示を行い（ステップＴ６）、ステップＴ１に戻る、以下、発電が継続し、二次電池１４３の電圧が基準値以下にならない状態では、ステップＴ１〜Ｔ６の処理を繰り返し実行し、通常状態の時計表示を行う。
【０１６０】
一方、ステップＴ５で、発電が所定時間以上停止したことが検出されると、図３８（ｄ）に示すように、デジタル表示装置１４７の表示を何も表示しない無表示状態の節電状態とする（ステップＴ１３）。以下、発電が開始されない限りステップＴ１〜Ｔ５，Ｔ１３の処理を繰り返し、デジタル表示装置１４７の表示は無表示である節電状態を保持する。発電が再開された場合には、ステップＴ５で、それが検出されステップＴ５からステップＴ６に進み、通常動作状態の時刻情報の表示に切り換わる。
【０１６１】
一方、電圧検出手段１４４によって二次電池１４３の電圧が基準値以下と検出されたときには、ステップＴ４で検出され、その時の状態が通常動作状態でも、または節電状態でも関係なく、充電警告表示を行う（ステップＴ１２）。この充電警告表示は図３８（ｂ）に示すような「ＣＨＡＲＧＥ」の表示を、充電を促す警告として表示する。
【０１６２】
入力操作スイッチ１４８から二次電池の残容量モニタ指令（例えばボタンスイッチが押されると出力される指令）が入力されると、その時の状態が通常動作状態でも、または節電状態でも関係なくステップＴ３でこれが検出され、電圧検出手段１４４からの検出電圧に基づいて残量警告情報表示として、二次電池１４３の残容量を表示装置１４７に数値で残容量表示する。例えば、残容量が６０％であるときには図３８（ｅ）に示すように「６０」と表示される（ステップＴ１１）。以下、二次電池の残容量モニタ指令解除の操作が入力操作スイッチ１４８にてなされない限りステップＴ１〜Ｔ３、Ｔ１１の処理を繰り返し実行し、二次電池の残容量を表示する。
【０１６３】
また、ステップＴ２で、発振器が停止したことが検出されると、その時の状態が通常動作状態でも、または節電状態でも関係なく要時刻合わせフラグＦ１を「１」にセットし、止まり警告表示に移行する（ステップＴ８）。この止まり警告表示は、図３８（ｃ）に示すような「ＳＴＯＰ」情報がデジタル表示装置１４７にて表示される。そして、入力操作スイッチ１４８から信号（リューズの時刻合わせの位置までの引出信号）が入力されたか判断し（ステップＴ９）、入力されてなければ、ステップＴ１に戻り、すでに、要時刻合わせフラグＦ１が「１」にセットされているからステップＴ１からステップＴ８に移行して、止まり警告表示を続け、時刻合わせが必要なことを知らせる。以下、入力操作スイッチ１４８から信号（時刻合わせ操作信号）が入力されない限りステップＴ１，Ｔ８，Ｔ９の処理を繰り返し実行し時刻合わせが必要なことをユーザーに知らせ続ける。
【０１６４】
すなわち、二次電池１４３の電圧が低下して、基準信号発生回路５６のからの基準信号の発生が停止し、現在時刻を記憶する手段がその機能を停止し、その後電圧の復帰で基準信号発生回路５６のからの基準信号の発生が回復したとしても、記憶する現在時刻は誤ったものとなっていることから、１度基準信号の発生が停止した後は、時刻合わせがない限り、止まり警告表示は続けられる。
【０１６５】
そこで、入力操作スイッチ１４８から信号（時刻合わせの操作信号）が入力されると、ステップＴ９からステップＴ１０に移行して要時刻合わせフラグＦ１を「０」にリセットする。その後は、時刻が正確に合わされたものとして、ステップＴ１〜Ｔ６の処理を繰り返し実行し、通常動作の時刻情報の表示を行う。
【０１６６】
以上説明したように、節電状態より電圧低下による充電警告表示が優先され、また節電状態より蓄電手段の残容量（残量）を表示する残量警告情報表示が優先され、さらには、基準信号発生回路からの基準信号（発振信号）の発生が停止し、時間合わせが必要ときは、止まり警告表示を節電状態表示よりも、さらには充電警告表示あるいは残量警告情報表示よりも、優先して表示される。また、残量警告情報表示と充電警告表示との表示優先順位を本願の第４の例では残量警告情報表示を優先としたが、充電警告表示を優先としても良い。また、本願では節電状態より残量警告情報表示が優先する事を第４の例のデジタル式電子時計で説明したが、アナログ式電子時計で二次電池等の蓄電手段３の残容量（残量）を指針（例えば秒針）の移動量によって残量警告情報表示を針（例えば秒針）を所定の位置にて停止されて節電をはかる節電状態より優先して表示させることも本発明に含まれる。
【０１６７】
また、特に電子時計が充電式で太陽電池あるいは自動巻発電等の発電手段を有する発電式電子時計である場合に、一旦充電不足により時計が一時停止した状態から再充電によって電子時計が再起動したときに時刻狂いを警告する時刻合わせ警告機能情報、あるいは充電を促す警告である充電警告機能情報、蓄電手段である二次電池または畜電器等の残量を表示する残量警告機能情報の表示機能を、警告指令が出た状態では、節電機能よりも優先させることは有効である。
【０１６８】
以下、更に、時刻合わせ警告機能情報、充電警告機能情報、残容量警告機能情報の各機能情報を節電機能よりも優先する別の実施例の構成及び動作について図４１〜図４６を用いて説明する。
【０１６９】
図４１〜図４６は、時刻合わせ警告機能情報、充電警告機能情報、残容量警告機能情報等の各警告機能状態を節電機能よりも優先するアナログ表示式電子時計の構成及び動作を説明するブロックダイアグラム、フローチャート及びタイミングチャートである。
【０１７０】
図４１に示す構成はアナログ表示を行う構成の時計であり、時針３２１，分針３２２，秒針３２３，及び日板を有した表示手段３０５と該表示手段３０５を駆動するために表示駆動手段３０４を備える。なお、ここでは、表示駆動手段３０４はドライバ回路４０１及びドライバ回路４０２を備え、ドライバ回路４０１は秒針３２３を駆動し、ドライバ回路４０２は時針３２１と分針３２２を駆動する構成を示している。
【０１７１】
基準信号発生手段を構成する発振回路２４８及び分周回路２４９は基準信号（ＳＲ）を出力する。該基準信号は、ドライバ回路４０１及びドライバ回路４０２により秒針３２３，時針３２１，分針３２２を駆動して時刻情報を表示する他、時刻合わせ・充電警告などの諸警告制御を含む時計回路部２００において各状態に応じたパルス信号に形成され、ドライバ回路４０１により秒針２２３を駆動して再起動時の時刻狂いを警告する時刻合わせ警告や充電を促す充電警告を表示する。なお、秒針３２３は１秒運針パルス形成手段２０１で形成される１秒運針パルス信号に基づいて駆動され、時針３２１及び分針３２２は時分運針パルス形成手段２０６で形成される時分運針パルス信号に基づいて駆動される。
【０１７２】
時計回路部２００は、秒針３２３を１秒毎に運針させるためのパルス信号を形成する１秒運針パルス形成手段２０１、電源電圧が降下し充電を要することを警告するために秒針３２３を２秒毎に運針させるためのパルス信号を形成する２秒運針パルス形成手段２０２、日板の駆動が停止しカレンダ合わせを要することを警告するために秒針３２３を５秒毎に運針させるためのパルス信号を形成する５秒運針パルス形成手段２０３、表示情報の停止によって時刻合わせを要することを警告するために秒針３２３を２秒周期で変則な運針を行わせるためのパルス信号を形成する変則２秒運針パルス形成手段２０４、秒針３２３を０秒の位置に位置合わせされていないことを警告するために秒針３２３を８秒周期で運針させるパルス信号を形成する８秒運針パルス形成手段２０５を備え、これら各パルス形成手段で形成されるパルス信号によって、時刻合わせ、充電、カレンダ合わせ、０位置合わせ未完了等の各警告が表示される。
【０１７３】
上記の各警告の内で何れの警告を表示するかの選択は、セレクタ２１１〜２１４によって行われる。セレクタ２１１は、電圧検出手段２２１から選択端子Ｃに入力される選択信号によって入力端子Ｂ，Ａに入力される信号の何れか一方を選択し、電源電圧の電圧値に応じて、出力端子Ｑから１秒運針パルス信号あるいは２秒運針パルス信号を出力する。例えば、電源電圧の電圧値が所定電圧以下に低下した場合には、２秒運針パルス信号を出力して充電警告を行う。
【０１７４】
また、セレクタ２１２は、発振停止の検出手段（あるいは、モータ駆動に要する電圧以下に電源電圧が降下したことを検出する検出手段）２２２の検出信号でラッチされるラッチ回路２１６から選択端子Ｃに入力される選択信号によって入力端子Ｂ，Ａに入力される信号の何れか一方を選択し、発振停止（あるいは電源電圧の電圧降下）に応じて、出力端子Ｑからセレクタ２１１の出力信号あるいは５秒運針パルス信号を出力する。例えば、発振停止した場合には、５秒運針パルス信号を出力してカレンダ合わせを警告する。このカレンダ合わせ警告に基づいてカレンダ修正手段２２３で日板を修正した場合には、このラッチ回路２１６をリセットすることによってセレクタ２１２の選択を切換えてセレクタ２１１の出力信号を出力する。
【０１７５】
また、セレクタ２１３は、セレクタ２１２と同様に、発振停止の検出手段（あるいは、モータ駆動に要する電圧以下に電源電圧が降下したことを検出する検出手段）２２２の検出信号でラッチされるラッチ回路２１７から選択端子Ｃに入力される選択信号によって入力端子Ｂ，Ａに入力される信号の何れか一方を選択し、発振停止（あるいは電源電圧の電圧降下）に応じて、出力端子Ｑからセレクタ２１２の出力信号あるいは変則２秒運針パルス信号を出力する。例えば、発振停止した場合には、変則２秒運針パルス信号を出力して時刻合わせを警告する。この時刻合わせ警告に基づいて時刻修正手段２２４で時刻を修正した場合には、このラッチ回路２１７をリセットすることによってセレクタ２１３の選択を切換えてセレクタ２１２の出力信号を出力する。
【０１７６】
また、セレクタ２１４は、セレクタ２１２，２１３と同様に、発振停止の検出手段（あるいは、モータ駆動に要する電圧以下に電源電圧が降下したことを検出する検出手段）２２２の検出信号でラッチされるラッチ回路２１８から選択端子Ｃに入力される選択信号によって入力端子Ｂ，Ａに入力される信号の何れか一方を選択し、発振停止（あるいは電源電圧の電圧降下）に応じて、出力端子Ｑからセレクタ２１３の出力信号あるいは８秒運針パルス信号を出力する。例えば、発振停止した場合には、８秒運針パルス信号を出力して０位置合わせ未完了を警告する。この０位置合わせ未完了警告に基づいて０位置修正手段２２５で秒針２３を０位置に位置合わせした場合には、このラッチ回路２１８をリセットすることによってセレクタ２１４の選択を切換えてセレクタ２１３の出力信号を出力する。
【０１７７】
上記した各機能情報を節電よりも優先するために、図４１に示す構成は節電状態検出手段２２６及び制御手段２１５を備える。制御手段２１５は、節電状態検出手段２２６からの“Ｌ”レベルの検出信号を選択端子Ｃに入力し、セレクタ２１４からの情報を表示するための信号をドライバ回路４０１に送るか否かを制御し、節電状態の場合でも警告指令である前記回路２２１、２１６、２１７、２１８の出力のいずれかが“Ｈ”レベルすなわちオア２２７の出力が“Ｈ”レベルで、オア２２８の出力も“Ｈ”レベルとなるため、その場合にはセレクタ２１４からの警告情報の信号をドライバ回路４０１に送り、節電検出信号が手段２２６から出力されていても、警告情報を表示して、節電機能よりも優先させる。
【０１７８】
逆に、警告情報が一切無い場合で節電検出信号が出力されている場合には、セレクタ２１４からドライバ回路４０１への機能情報の送信を停止し、表示手段５における表示を停止し節電状態となる。
上記構成による節電優先動作例を、図４３に示すフローチャートにしたがって説明する。
【０１７９】
太陽電池、自動巻発電等の発電手段を有する発電式電子時計が上記構成を備える場合に、充電不足が生じると、電圧検出手段２２１の検出信号によってセレクタ２１１のＡ端子側を選択したり、発振停止検出手段２２２の検出信号によってラッチ回路２１６〜２１８をセットしてセレクタ２１２〜セレクタ２１４のＡ端子側を選択し、これによって時計の一時停止を含む種々の警告が発せられる。
【０１８０】
この各警告状態から再充電によって電子時計が再起動して時刻情報が入力される、例えば、発振回路２４８及び分周回路２４９から基準信号が時計回路部２００に入力されると（ステップＶ１）、時計回路部２００では、はじめに０位置合わせが未完了である警告が出されているか否かを判定する。この判定は、ラッチ回路２１８がセットされているかあるいはリセットされているかによって行うことができる（ステップＶ２）。
【０１８１】
０位置合わせが未完了である場合（ラッチ回路２１８がセットされたままの状態）には、節電状態であるか否かを判定し（ステップＶ３）、節電状態検出手段２２６から節電信号が出力されているときには節電中と判断し、節電状態を解除し（ステップＶ３１）、その後、ステップＶ４に移行する。一方、節電中でなければ、制御手段２１５はセレクタ２１４から８秒運針パルス信号を選択して、秒針３２３を８秒毎に間欠駆動して０位置合わせが未完了であることを表示するステップＶ４に直接移行する。
【０１８２】
０位置合わせが完了している場合（ラッチ回路２１８がリセットされた状態）には、時刻合わせ警告が出されているか否かを判定する。この判定は、ラッチ回路２１７がセットされているかあるいはリセットされているかによって行うことができる（ステップＶ５）。時刻合わせ警告が出力されている場合（ラッチ回路２１７がセットされている状態）には、節電状態であるか否かを判定し（ステップＶ６）、節電状態検出手段２２６から節電信号が出力されているときには節電中であると判断し、節電状態を解除し（ステップＶ６１）、その後、ステップＶ７へ移行する。一方、節電中でなければ、制御手段２１５は、セレクタ２１３，２１４を経て変則２秒運針パルス信号を選択して、秒針３２３を２秒毎に変則な間欠間隔で駆動して時刻合わせが未完了であることを表示するステップＶ７へ直接移行する。
【０１８３】
時刻合わせが完了している場合（ラッチ回路２１７がリセットされた状態）には、カレンダ合わせ警告が出されているか否かを判定する。この判定は、ラッチ回路２１６がセットされているかあるいはリセットされているかによって行うことができる（ステップＶ８）。カレンダ合わせ警告が出力されている場合（ラッチ回路２１６がセットされている状態）には、節電状態であるか否かを判定し（ステップＶ９）、節電状態検出手段２２６から節電信号が出力されているときには節電中であると判断し、節電状態を解除し（ステップＶ９１）、その後、ステップＶ１０へ移行する。一方、節電中でなければ、制御手段２１５は、セレクタ２１２，２１３，２１４を経て５秒運針パルス信号を選択して、秒針２３を５秒毎の間欠間隔で駆動してカレンダ合わせが未完了であることを表示するステップＶ１０へ直接移行する。
【０１８４】
カレンダ合わせが完了している場合（ラッチ回路２１６がリセットされた状態）には、充電警告が出されているか否かを判定する。この判定は、電圧検出手段２２１の出力によって行うことができる（ステップＶ１１）。充電警告が出力されている場合（電圧検出手段２２１から電圧低下を示す信号が出力されている状態）には、節電状態であるか否かを判定し（ステップＶ１２）、節電状態検出手段２２６から節電信号が出力されているときには節電中であると判断し、節電状態を解除し（ステップＶ１２１）、その後、ステップＶ１３に移行する。一方、節電中でなければ、制御手段２１５は、セレクタ２１１，２１２，２１３，２１４を経て２秒運針パルス信号を選択して、秒針３２３を２秒毎の間欠間隔で駆動して充電不足であることを表示するステップＶ１３に直接移行する。
【０１８５】
図４２は、１秒運針パルス信号、２秒運針パルス信号、変則２秒運針パルス信号、５秒運針パルス信号、及び８秒運針パルス信号の各信号状態例を示している。図４２に（ｂ）に示す１秒運針パルス信号は、図４２（ａ）に示す時間軸に対して各秒単位でパルス信号を出力し、時刻情報を表す正秒信号となる。図４２（ｃ）に示す２秒運針パルス信号は、図４２（ｂ）に示す時間軸に対して２秒毎に２つのパルス信号を出力し、充電警告を表示する。図４２（ｄ）に示す変則２秒運針パルス信号は、図４２（ｂ）に示す時間軸に対して２秒毎に２つのパルス信号を２秒運針パルス信号とは異なる信号間隔で出力し、時刻合わせ警告を表示する。図４２（ｅ）に示す５秒運針パルス信号は、図４２（ｂ）に示す時間軸に対して５秒毎に５つのパルス信号を出力し、カレンダ合わせ警告を表示する。図４２（ｆ）に示す８秒運針パルス信号は、図４２（ｂ）に示す時間軸に対して８秒毎に５つのパルス信号を出力し、０位置合わせ未完了警告を表示する。
【０１８６】
なお、２秒運針パルス信号、変則２秒運針パルス信号、５秒運針パルス信号、及び８秒運針パルス信号は、秒針に各警告を表示させるための運針態様例であり、他の運針態によって各警告を表示させることもできる。なお、ここでは、各運針パルス信号は、正信号と負信号を交互に出力する例を示している。
【０１８７】
十分な充電状態である場合（電圧検出手段２２１から電圧低下を示す信号が出力されていない状態）では、ステップＶ１４の工程で節電状態であるか否かを判定し、節電状態検出手段２２６から節電信号が出力されているときには節電中であると判断し、節電状態を解除し（ステップＶ１４１）、その後、ステップＶ１５へ移行する。一方、節電中でなければ、残容量モニタが動作中であるか否かを判定するステップＶ１５へ直接移行する。
【０１８８】
残容量モニタが動作していない場合には（ステップＶ１５）、１秒運針パルス信号によって秒針２３を正常駆動して時刻情報を表示し（ステップＶ１６）、その後、サブルーチン１において残容量モニタが選択された場合には残容量表示を行う（ステップＶ１７）。一方、残容量モニタが動作している場合には（ステップＶ１５）、サブルーチン２において残容量モニタの終了処理を行う（ステップＶ１８）。
【０１８９】
図４４のフローチャートにサブルーチン１の動作例を示す。残容量モニタを動作させるか否かの選択をスイッチ操作によって行い（ステップＳＢ１）、残容量モニタ動作を選択した場合には、残容量モニタの動作を開始する（ステップＳＢ２）。残容量モニタでは、レベル１及びレベル２をしきい値として設定しておき、電源手段の電圧とレベル１，２との比較を行い、比較結果に基づいて残容量レベルを表示する。電源手段の電圧がレベル１以上である場合には（ステップＳＢ３）、秒針を１５秒早送りすることによって電圧が残容量レベル１であることを表示すると共に（ステップＳＢ４）、カウンタを１４にセットする（ステップＳＢ５）。電源手段の電圧がレベル１以下でかつレベル２以上である場合には（ステップＳＢ６）、秒針を１０秒早送りすることによって電圧が残容量レベル２であることを表示すると共に（ステップＳＢ７）、カウンタを９にセットする（ステップＳＢ８）。また、電源手段の電圧がレベル２以下である場合には（ステップＳＢ６）、秒針を５秒早送りすることによって電圧が残容量レベル３であることを表示すると共に（ステップＳＢ９）、カウンタを４にセットする（ステップＳＢ１０）。
【０１９０】
このサブルーチン１による残容量モニタの表示が行われている間は、ステップＶ１５の判定によってサブルーチン２の処理が行われる。図４５のフローチャートにサブルーチン２の動作例を示す。サブルーチン２では、サブルーチン１でセットしたカウンタ値を監視し、該カウンタ値が０であるかいなかを判定する（ステップＳＢ１１）。カウンタ値が０でない場合には、セットされているカウンタ値を１減らす処理を行い（ステップＳＢ１３）、１秒の後再びステップＳＢ１１の判定を行う。このとき、判定するカウンタ値は減少しているため、セットしたカウンタ値の応じた時間が経過した後、カウンタ値は０となり、この時点で残容量モニタを終了する（ステップＳＢ１２）。なお、残容量モニタは、電圧検出手段２２１や、電源手段としてソーラーセルあるいは自動巻発電機構などの発電手段を設けた場合に、該発電手段の発電能力の低下を検出する発電検出手段からの電圧信号を所定値に設定した残容量レベルをしきい値として判断処理を行うハードあるいはソフトで構成することができる。
【０１９１】
図４６は残容量モニタの動作を説明するためのタイミングチャートである。図４６（ｂ）に示す１秒運針パルス信号は、図４６（ａ）に示す時間軸に対して１秒毎に１つのパルス信号を出力して秒動作を表示する。この状態において、図４６（ｃ）に示す時点で残容量モニタを動作させる操作スイッチがセットされると、図４６（ｂ）に示す１秒運針パルス信号に代えて、電源部の電圧状態に応じて図４６（ｄ），図４６（ｅ），あるいは図４６（ｆ）のパルス信号が出力され、残容量レベルが秒針の運針によって表示される。
【０１９２】
例えば、電源部の電圧がレベル１以上であるときには、図４６（ｄ）に示すように１５個のパルス信号を短周期で出力することによって秒針を１５秒分だけ早送りして残容量レベル１であることを表示する。その後、カウンタがカウンタ数１５を各秒毎に減算することで１５秒分の運針を停止させ、カウンタが０となった後に正常な運針を再開する。また、電源部の電圧がレベル１以下、かつレベル２上であるときには、図４６（ｅ）に示すように１０個のパルス信号を短周期で出力することによって秒針を１０秒分だけ早送りして残容量レベル２であることを表示する。その後、カウンタがカウンタ数１０を各秒毎に減算することで１０秒分の運針を停止させ、カウンタが０となった後に正常な運針を再開する。また、電源部の電圧がレベル２以下であるときには、図４６（ｆ）に示すように５個のパルス信号を短周期で出力することによって秒針を５秒分だけ早送りして残容量レベル３であることを表示する。その後、カウンタがカウンタ数５を各秒毎に減算することで５秒分の運針を停止させ、カウンタが０となった後に正常な運針を再開する。
【０１９３】
また、電源が一次電池の場合、節電状態へスイッチ操作によるマニュアルで移行した状態で、別のスイッチ操作にて残量警告表示モニターを行った時には、節電状態を解除し、上記秒針の移動量によって残量警告情報表示を節電状態より優先されることも本実施形態の範囲に含まれる。
【０１９４】
この第２実施形態においては、節電状態表示よりも充電を促すための警告、蓄電手段の残量を表示する残量警告や時刻合わせを促すための警告を優先して表示するようにしたので、電子時計に節電機能を搭載することで状況に応じて節電を行いながら、時計機能の障害となる場合または時計機能を持続する上で障害となる恐れがあるような場合には節電機能より重要な警告を表示して知らせることで、節電機能と警告情報表示機能とを合わせ持つ電子時計において、前記２つの機能を十分に発揮することができる。特に、発電手段から充電される蓄電手段を電源とする充電式電子時計において有効である。
【図面の簡単な説明】
【０１９５】
【図１】  本発明による電子時計の第１の実施形態の第１の動作例を説明するための概略図である。
【図２】  本発明による電子時計の第１の実施形態の第２の動作例を説明するための概略図である。
【図３】  図１の動作例に対応する電子時計の構成例を示す概略ブロック図である。
【図４】  図２の動作例に対応する電子時計の構成例を示す概略ブロック図である。
【図５】  電子時計の優先選択の概略動作を説明するためのフローチャートである。
【図６】  節電優先動作と機能優先動作を説明するための図である。
【図７】  節電優先動作と機能優先動作を説明するための図である。
【図８】  電子時計の第１の選択の態様を実現する第１の構成例を説明する図である。
【図９】  電子時計の第１の選択の態様を実現する第２の構成例を説明する図である。
【図１０】  電子時計の動作を説明するフローチャートである。
【図１１】  電子時計の第１の選択の態様の動作を説明する電圧図である。
【図１２】  電子時計の第２の選択の態様を実現する第１の構成例を説明する図である。
【図１３】  電子時計の第２の選択の態様を実現する第２の構成例を説明する図である。
【図１４】  電子時計の第２の選択の態様の動作を説明するフローチャートである。
【図１５】  電子時計の第２の選択の態様の動作を説明する電圧図である。
【図１６】  電子時計の第３の選択の態様を実現する第１の構成例を説明する図である。
【図１７】  電子時計の第３の選択の態様を実現する第２の構成例を説明する図である。
【図１８】  電子時計の第３の選択の態様の動作を説明するフローチャートである。
【図１９】  電子時計の第３の選択の態様の動作を説明する電圧図である。
【図２０】  電子時計の第４の選択の態様を実現する第１の構成例を説明する図である。
【図２１】  電子時計の第４の選択の態様を実現する第２の構成例を説明する図である。
【図２２】  電子時計の第４の選択の態様の動作を説明するフローチャートである。
【図２３】  電子時計の第４の選択の態様の動作を説明する電圧図である。
【図２４】  電子時計の第５の選択の態様を実現する第１の構成例を説明する図である。
【図２５】  電子時計の第５の選択の態様を実現する第２の構成例を説明する図である。
【図２６】  電子時計の第５の選択の態様の動作を説明するフローチャートである。
【図２７】  電子時計の第５の選択の態様の動作を説明する外部操作選択及び電圧図である。
【図２８】  電子時計のソフトウエアにより実現するためのブロック構成例を示す図である。
【図２９】  本実施形態による電子時計１０の外観正面図である。
【図３０】  本発明による電子時計の第２の実施形態の動作例を説明するための概略図である。
【図３１】  本発明による電子時計の第２の実施形態の動作例を説明するための概略図である。
【図３２】  本発明の電子時計の第２の実施形態の第１の例の要部ブロック図である。
【図３３】  図３１の電子時計における節電状態制御手段の詳細ブロック図である。
【図３４】  節電状態制御手段における動作タイミングを示すタイミングチャートである。
【図３５】  本発明の電子時計の第２の実施形態の第２の例の要部ブロック図である。
【図３６】  上記第２の例における、ＣＰＵを有するアナログ電子時計制御装置のプロセッサが実行する表示切換処理のフローチャートである。
【図３７】  本発明の電子時計の第２の実施形態の第３の例の要部ブロック図である。
【図３８】  第３及び第４の例におけるデジタル表示装置による表示例を示す図である。
【図３９】  本発明の電子時計の第２の実施形態の第４の例の要部ブロック図である。
【図４０】  第４の例における、ＣＰＵを有するデジタル電子時計制御装置のプロセッサが実行する表示切換処理のフローチャートである。
【図４１】  時刻合わせ警告機能情報及び充電警告機能情報などを節電機能よりも優先させるアナログ構成及び動作を説明するブロックダイヤグラムである。
【図４２】  時刻合わせ警告機能情報及び充電警告機能情報などの警告機能表示駆動信号を示すタイミングチャートである。
【図４３】  時刻合わせ警告機能情報及び充電警告機能情報に加えて残容量警告機能情報などの各警告機能状態を節電機能よりも優先させるアナログ構成の動作を説明するフローチャートである。
【図４４】  図４２のフローチャートにおけるサブルーチン１の動作例を説明するためのフローチャートである。
【図４５】  図４２のフローチャートにおけるサブルーチン２の動作例を説明するためのフローチャートである。
【図４６】  時刻合わせ警告機能情報及び充電警告機能情報に加えて残容量警告機能情報の警告機能表示駆動信号及び残容量モニタ制御などを示すタイミングチャートである。
【図１】
0005025070.tif 000002
【図２】
0005025070.tif 000003
【図３】
0005025070.tif 000004
【図４】
0005025070.tif 000005
【図５】
0005025070.tif 000006
【図６】
0005025070.tif 000007
【図７】
0005025070.tif 000008
【図８】
0005025070.tif 000009
【図９】
0005025070.tif 000010
【図１０】
0005025070.tif 000011
【図１１】
0005025070.tif 000012
【図１２】
0005025070.tif 000013
【図１３】
0005025070.tif 000014
【図１４】
0005025070.tif 000015
【図１５】
0005025070.tif 000016
【図１６】
0005025070.tif 000017
【図１７】
0005025070.tif 000018
【図１８】
0005025070.tif 000019
【図１９】
0005025070.tif 000020
【図２０】
0005025070.tif 000021
【図２１】
0005025070.tif 000022
【図２２】
0005025070.tif 000023
【図２３】
0005025070.tif 000024
【図２４】
0005025070.tif 000025
【図２５】
0005025070.tif 000026
【図２６】
0005025070.tif 000027
【図２７】
0005025070.tif 000028
【図２８】
0005025070.tif 000029
【図２９】
0005025070.tif 000030
【図３０Ａ】
0005025070.tif 000031
【図３０Ｂ】
0005025070.tif 000032
【図３１】
0005025070.tif 000033
【図３２】
0005025070.tif 000034
【図３３】
0005025070.tif 000035
【図３４】
0005025070.tif 000036
【図３５】
0005025070.tif 000037
【図３６】
0005025070.tif 000038
【図３７】
0005025070.tif 000039
【図３８】
0005025070.tif 000040
【図３９】
0005025070.tif 000041
【図４０】
0005025070.tif 000042
【図４１】
0005025070.tif 000043
【図４２】
0005025070.tif 000044
【図４３】
0005025070.tif 000045
【図４４】
0005025070.tif 000046
【図４５】
0005025070.tif 000047